(57)【要約】本発明は放送コンテンツに関連した付加情報サービス提供システム及び方法に関するものである。このシステムは、ＰＴＳ情報生成サーバー及び付加情報サービス提供サーバーを含む。ＰＴＳ情報生成サーバーは、放送システムから放送コンテンツ及びプログラミング情報を受信し、特定放送コンテンツの開始時点に対する情報を確認し、前記放送コンテンツの開始時点に対応するＰＴＳ情報を抽出し、前記抽出された情報を伝送する。前記付加情報サービス提供サーバーは、前記放送コンテンツに対応する付加情報を保存し、前記放送コンテンツの開始時点に対する情報及び前記開始時点情報に対応するＰＴＳ情報をＰＴＳ情報生成サーバーから受信し、前記放送コンテンツの特定画面と該当付加情報を関連させ、前記関連された画面及び該当付加情報を使用者端末機の要請に応じて通信インフラを通じて提供する。
2010510710.tif 000002
【特許請求の範囲】
【請求項１】
放送システムから多様な放送コンテンツ及び放送コンテンツに対する編成情報を受信し、特定放送コンテンツの開始時間情報を確認し、前記放送コンテンツから該当放送コンテンツの開始時間に対応するＰＴＳ（Ｐｒｅｓｅｎｔａｔｉｏｎ Ｔｉｍｅ Ｓｔａｍｐ）情報を抽出し、前記絶対時間情報とともに伝送するＰＴＳ情報生成サーバー；及び
前記放送コンテンツに対応する多様な付加情報を保存し、前記ＰＴＳ情報生成サーバーから前記放送コンテンツの開始時間情報及び前記開始時間情報に対応するＰＴＳ情報を受け、前記放送コンテンツの特定画面と該当付加情報を関連させ、使用者端末機の要請に応じて通信インフラを通じて提供する付加情報サービス提供サーバー；を含むことを特徴とする、放送コンテンツに関連した付加情報サービス提供システム。
【請求項２】
前記ＰＴＳ情報生成サーバーは、前記放送コンテンツに含まれたＭＰＥＧ−ＴＳ（Ｍｏｖｉｎｇ Ｐｉｃｔｕｒｅ Ｅｘｐｅｒｔｓ Ｇｒｏｕｐ Ｔｒａｎｓｐｏｒｔ Ｓｔｒｅａｍ）から前記開始時間に対応するＰＴＳ情報を抽出することを特徴とする、請求項１に記載の放送コンテンツに関連した付加情報サービス提供システム。
【請求項３】
前記付加情報サービス提供サーバーは、前記ＰＴＳ情報生成サーバーから提供されるＰＴＳ情報に基づいて前記放送コンテンツに含まれたＭＰＥＧ−ＴＳから前記放送コンテンツの開始時点を把握することを特徴とする、請求項１に記載の放送コンテンツに関連した付加情報サービス提供システム。
【請求項４】
前記付加情報サービス提供サーバーは、前記放送コンテンツの開始時間情報に対応するＰＴＳ情報及び前記使用者端末機から提供される前記特定画面のイメージフレームに対するＰＴＳ情報に基づいて前記特定画面による経過時間を計算し、前記使用者端末機が要請した特定画面に対応する付加情報を抽出することを特徴とする、請求項１に記載の放送コンテンツに関連した付加情報サービス提供システム。
【請求項５】
放送コンテンツ、前記放送コンテンツに対応する放送編成情報及び両方向データ放送付加情報を放送網を通じて受信し、使用者端末機で、放送網を通じて提供される放送コンテンツに対する情報のうち前記放送コンテンツを再生するためのＰＴＳ（Ｐｒｅｓｅｎｔａｔｉｏｎ Ｔｉｍｅ Ｓｔａｍｐ）情報を抽出し、前記ＰＴＳ情報及び前記両方向データ放送付加情報を時間的に同期化するためのＣＴＳ（Ｃｏｍｐｏｓｉｔｉｏｎ Ｔｉｍｅ Ｓｔａｍｐ）情報を形成し、前記ＣＴＳ情報を含む両方向データ放送付加情報及び前記ＰＴＳ情報を送出するためのＰＴＳ情報生成サーバー；及び
前記放送編成情報の受信によってサービス連動を行って、前記ＰＴＳ情報、前記ＣＴＳ情報を含む両方向データ放送付加情報及び前記放送編成情報を互いにマッチングするように管理し、前記使用者端末機のサービス要請に含まれる前記ＰＴＳ情報に基づいて前記両方向データ放送付加情報を抽出して前記使用者端末機に伝達するための付加情報サービス提供サーバー；を含むことを特徴とする、放送コンテンツに関連した付加情報サービス提供システム。
【請求項６】
前記ＰＴＳ情報生成サーバーは、前記放送システムから受信される情報量及び前記付加情報サービス提供サーバーに送出する情報量の中で少なくとも一つに対する通信環境を判別して、前記ＣＴＳ情報を含む両方向データ放送付加情報を形成するかを決定することを特徴とする、請求項５に記載の放送コンテンツに関連した付加情報サービス提供システム。
【請求項７】
前記ＰＴＳ情報生成サーバーは、前記ＣＴＳ情報を含む両方向データ放送付加情報を形成しない場合、前記ＰＴＳ情報を前記付加情報サービス提供サーバーに伝達することを特徴とする、請求項６に記載の放送コンテンツに関連した付加情報サービス提供システム。
【請求項８】
前記付加情報サービス提供サーバーは、前記ＰＴＳ情報の受信に基づいて前記ＣＴＳ情報を含む両方向データ放送付加情報を形成することを特徴とする、請求項７に記載の放送コンテンツに関連した付加情報サービス提供システム。
【請求項９】
前記付加情報サービス提供サーバーは、放送網を通じてブロードキャスティングされるＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）情報をモニタリングして前記放送編成情報を受けるか、前記ＰＴＳ情報生成サーバーを通じて前記放送編成情報を受けることを特徴とする、請求項５に記載の放送コンテンツに関連した付加情報サービス提供システム。
【請求項１０】
前記付加情報サービス提供サーバーは、前記ＣＴＳ情報を含む両方向データ放送付加情報をＢＩＦＳ（Ｂｉｎａｒｙ Ｆｏｒｍａｔ Ｆｏｒ Ｓｃｅｎｅ）フォーマットに変換して保存することを特徴とする、請求項５に記載の放送コンテンツに関連した付加情報サービス提供システム。
【請求項１１】
前記ＰＴＳ情報生成サーバーは、
前記放送網及び前記付加情報サービス提供サーバーと連動するためのインターフェース部；
前記放送網を通じて受信される情報量及び前記付加情報サービス提供サーバーに送出する情報量の中で少なくとも一つに対する通信環境を判別するための通信環境判別部；及び
通信環境判別結果に基づいて前記ＣＴＳ情報を含む両方向データ放送付加情報を形成するかを決定した後、前記ＣＴＳ情報を含む両方向データ放送付加情報及び前記ＰＴＳ情報の中で少なくとも一つを前記付加情報サービス提供サーバーに送出するための情報形成／送出部；を含むことを特徴とする、請求項５に記載の放送コンテンツに関連した付加情報サービス提供システム。
【請求項１２】
前記付加情報サービス提供サーバーは、
放送システムから送出する前記放送コンテンツに対する時間連動情報、前記ＰＴＳ情報及び前記ＣＴＳ情報に基づいて前記放送コンテンツ及び前記両方向データ放送付加情報に対する同期化を行うための同期化実行部；
前記放送網及び前記通信網の中でいずれか一つと連動するためのインターフェース部；
前記ＣＴＳ情報を含む両方向データ放送付加情報をＢＩＦＳフォーマットに変換して保存するためのコンテンツ管理部；及び
前記通信網に基づいて前記使用者端末機とメッセージ交換を行うためのプロトコルを通じて前記ＣＴＳ情報を含む両方向データ放送付加情報を前記使用者端末機に伝達するためのプロセスを行う制御部；を含むことを特徴とする、請求項５に記載の放送コンテンツに関連した付加情報サービス提供システム。
【請求項１３】
デジタルマルチメディア放送画面に表示される客体別に提供可能な付加情報の種類に対する情報を提供する付加情報サービス提供サーバー及び前記客体別に提供可能な付加情報のコンテンツを提供するコンテンツサーバーを含み、デジタルマルチメディア放送画面に表示される人物や商品などに対する付加情報を使用者端末機に提供するための放送コンテンツに関連した付加情報サービス提供システムであって、
前記付加情報サービス提供サーバーは、
放送画面に表示される客体の選択のためのガイド情報と、各客体に対して提供可能な付加情報の種類及び各付加情報コンテンツをダウンロードするようにするコンテンツＵＲＬ情報を含むＰＰＬ情報とを各放送プログラム別に保存するＰＰＬ情報データベースと；
使用者端末機から放送のチャネル情報及びプログラム情報を含むＰＰＬ情報要請メッセージが受信されれば、前記ＰＰＬ情報要請メッセージに含まれた情報に基づいて前記ＰＰＬ情報データベースから該当放送プログラムに対するＰＰＬ情報を検索し、該当ＰＰＬ情報をダウンロードすることができるＵＲＬ情報を前記使用者端末機に提供するＰＰＬ情報検索部と；
前記使用者端末機が前記ＵＲＬに接続することによって該当ＰＰＬ情報をダウンロードするＰＰＬ情報ダウンロード部；
を含むことを特徴とする、放送コンテンツに関連した付加情報サービス提供システム。
【請求項１４】
前記使用者端末機で使用者のＧＵＩＰ開始キーの選択によって、デジタルマルチメディア放送データから現在視聴中の放送プログラムの再生時間を示すＰＴＳ情報が抽出され、前記付加情報サービス提供サーバーは、前記抽出されたＰＴＳ情報が含まれた前記ＰＰＬ情報要請メッセージを受信することを特徴とする、請求項１３に記載の放送コンテンツに関連した付加情報サービス提供システム。
【請求項１５】
前記ＰＰＬ情報検索部は、前記使用者端末機から現在視聴中の放送プログラムの再生時間を示すＰＴＳ情報を含むＰＰＬ情報要請メッセージを受信し、該当ＰＴＳ情報に基づいて後に視聴される部分に対するＰＰＬ情報を検索することを特徴とする、請求項１４に記載の放送コンテンツに関連した付加情報サービス提供システム。
【請求項１６】
前記ＰＰＬ情報ダウンロード部は、前記使用者端末機にダウンロードすべきＰＰＬ情報を通信網トラフィック負荷分散のために一定の大きさに分割し、分割された各ＰＰＬ情報を順次ダウンロードすることを特徴とする、請求項１３に記載の放送コンテンツに関連した付加情報サービス提供システム。
【請求項１７】
前記付加情報サービス提供サーバーは、前記分割された各ＰＰＬ情報を一定の周期で順次ダウンロードし、前記使用者端末機から一定時間内に応答がない場合、ＰＰＬ情報のダウンロードを中断することを特徴とする、請求項１６に記載の放送コンテンツに関連した付加情報サービス提供システム。
【請求項１８】
前記ＰＰＬ情報ダウンロード部は、前記ＰＰＬ情報要請メッセージに、前記ＰＰＬ情報のダウンロード方式である全体ダウンロード方式と分割ダウンロード方式の中でいずれか一つのダウンロード方式に対する情報が含まれた場合、含まれた情報によって、全体ダウンロード方式の場合、ＰＰＬ情報全体を一度にダウンロードし、分割ダウンロード方式の場合、ダウンロードすべきＰＰＬ情報を一定の大きさに分割し、分割された各ＰＰＬ情報を順次ダウンロードすることを特徴とする、請求項１３に記載の放送コンテンツに関連した付加情報サービス提供システム。
【請求項１９】
前記付加情報サービス提供サーバーは、使用者のＧＵＩＰ開始キーの選択によって前記使用者端末機から現在視聴中の放送のチャネル情報及びプログラム情報を含むＧＵＩＰ開始要請メッセージを受信し、受信されたＧＵＩＰ開始要請メッセージに含まれた情報を含むＧＵＩＰ開始応答メッセージを前記使用者端末機に伝送して使用者または端末機によって情報確認がなされるようにするＧＵＩＰサービス制御部；
をさらに含むことを特徴とする、請求項１３に記載の放送コンテンツに関連した付加情報サービス提供システム。
【請求項２０】
前記使用者端末機に予め設定されたダウンロード方式情報によって前記ＰＰＬ情報要請メッセージに該当ダウンロード方式情報が含まれるか、あるいは使用者のＧＵＩＰ開始キーの選択の際にダウンロード方式を選択するようにし、選択されたダウンロード方式情報が前記ＧＵＩＰ開始要請メッセージに含まれて前記付加情報サービス提供サーバーに伝達されることを特徴とする、請求項１３に記載の放送コンテンツに関連した付加情報サービス提供システム。
【請求項２１】
前記ＰＰＬ情報に含まれたガイド情報は客体の輪郭線情報を含み、
前記付加情報サービス提供サーバーは、使用者端末機が使用者のキー入力によって客体の輪郭線を表示して使用者が望む客体を選択するようにし、特定客体が選択されれば、選択された客体に対して提供可能な付加情報の種類を出力していずれか一つの付加情報を選択するようにすることを特徴とする、請求項１３に記載の放送コンテンツに関連した付加情報サービス提供システム。
【請求項２２】
デジタルマルチメディア放送画面に表示される客体別に提供可能な付加情報の種類に対する情報を提供する付加情報サービス提供サーバー及び前記客体別に提供可能な付加情報のコンテンツを提供するコンテンツサーバーを含み、デジタルマルチメディア放送画面に表示される人物や商品などに対する付加情報を使用者端末機に提供するための放送コンテンツに関連した付加情報サービス提供システムであって、
前記付加情報サービス提供サーバーは、
放送画面に表示される客体座標情報、客体別に提供可能な付加情報の種類及び各付加情報コンテンツをダウンロードするようにするコンテンツＵＲＬ情報を含むＰＰＬ情報を各放送プログラム別に保存するＰＰＬ情報データベースと；
使用者が放送画面の特定地点を選択することによって、使用者端末機から現在視聴中の放送のチャネル情報、プログラム情報及び選択された地点の座標情報を含むＧＵＩＰ情報要請メッセージが受信されれば、前記ＧＵＩＰ情報要請メッセージに含まれた情報に基づいて、前記ＰＰＬ情報データベースを参照して、使用者が選択した地点の客体を識別し、該当客体に対して提供可能な付加情報の種類及び各付加情報コンテンツをダウンロードするようにするコンテンツＵＲＬ情報を含むＧＵＩＰ情報応答メッセージを前記使用者端末機に伝送するＧＵＩＰ情報提供部；
を含むことを特徴とする、放送コンテンツに関連した付加情報サービス提供システム。
【請求項２３】
前記ＧＵＩＰ情報提供部は、前記使用者端末機から前記使用者端末機によって抽出された現在視聴中の放送プログラムの再生時間を示すＰＴＳ情報が含まれたＧＵＩＰ情報要請メッセージを受信し、該当ＰＴＳ情報及び選択地点の座標情報に基づいて使用者が選択した客体を識別することを特徴とする、請求項２２に記載の放送コンテンツに関連した付加情報サービス提供システム。
【請求項２４】
前記付加情報サービス提供サーバーは、使用者のＧＵＩＰ開始キーの選択によって前記使用者端末機から現在視聴中の放送のチャネル情報及びプログラム情報を含むＧＵＩＰ開始要請メッセージを受信し、受信されたＧＵＩＰ開始要請メッセージに含まれた情報を含むＧＵＩＰ開始応答メッセージを前記使用者端末機に伝送して使用者または端末機によって情報確認がなされるようにするＧＵＩＰサービス制御部；
をさらに含むことを特徴とする、請求項２２に記載の放送コンテンツに関連した付加情報サービス提供システム。
【発明の詳細な説明】
【技術分野】
【０００１】
＜関連出願の相互参照＞
本出願はイグンソブらによって２００６年１１月２０日に出願された“放送コンテンツの付加情報の同期化システム及びその方法”という名称の韓国特許出願番号第１０−２００６−０１１４８２８号、イグンソブらによって２００７年１月１５日に出願された“デジタルマルチメディア放送の付加情報提供のためのＧＵＩＰサービスシステム及び方法”という名称の大韓民国特許出願番号第１０−２００７−０００４１７６号、及びイグンソブらによって２００７年９月１３日に出願された“通信網基盤の両方向データ放送サービス提供サービスシステム及び方法、並びにこれに適用されるサーバー”という名称の韓国特許出願番号第１０−２００７−００９３２００号に係り、これら出願の内容は参照することにより本書に組み込まれる。
【０００２】
本発明は放送コンテンツに関連した付加情報サービス提供システム及びその方法に係り、より詳しくは放送コンテンツによる付加情報を実時間で可変する該当放送コンテンツに正確にマッチングさせて提供する放送コンテンツに関連した付加情報サービス提供システム及びその方法に関するものである。
【０００３】
本発明は両方向データ放送サービス提供するための技術に係り、より詳しくは放送網を通じて提供される両方向データ放送サービスを移動通信網などの通信網によって効率よく具現するための放送コンテンツに関連した付加情報サービス提供システム及び方法、並びにこれに適用されるサーバーに関するものである。
【０００４】
本発明はデジタルマルチメディア放送の付加情報提供のための付加情報サービスシステム及び方法に係り、より詳しくは使用者端末機と付加情報サービス提供サーバーの間の連動によって放送画面内の人物、商品に関連した付加情報またはコンテンツを提供するようにしたデジタルマルチメディア放送の付加情報提供のための付加情報サービス提供システム及び方法に関するものである。
【背景技術】
【０００５】
現在、モバイルデータ通信サービスには、無線インターネットサービス、移動コンピュータサービス、無線データ通信サービス、無線インターネット接続サービス、衛星通信サービスなどが使用されている。
【０００６】
このようなモバイルデータ通信サービスの中で、事業の多角化、市場性、技術の進歩性などによって一番脚光を浴びている分野として、各種コンテンツを個人情報端末機に提供する無線放送サービス分野が注目を引いており、現在、ＣＰ（Ｃｏｎｔｅｎｔｓ Ｐｒｏｖｉｄｅｒ）と放送社業者及び移動通信事業者を主軸とするデータ放送サービスが提供されている。
【０００７】
このようなデータ放送サービスの場合、放送システムと使用者の間の両方向データ放送サービスを具現するための方式は、地上波ＤＭＢ、衛星ＤＭＢのような放送網での放送チャネルを介して放送システムから送出する放送コンテンツと連動するためのデータ連結情報をさらに他の放送チャネルを介してさらに送出する。
【０００８】
その後、視聴者の端末装置が放送網を通じて放送コンテンツ及びデータ連結情報をともに受信して端末画面に表示することにより、視聴者はデータ放送サービスの開始可否を判別することになり、前記データ連結情報に含まれるＵＲＬ情報を利用して通信網接続を行うことによって追加的な情報を要請する方式が従来の技術である。
【０００９】
従来の技術によって放送網を通じてデータ連結情報を伝達することは、追加の放送周波数資源を用いなければならない問題を生じさせ、両方向データ放送サービスを用いる視聴者別に好む情報が違うので、多数の視聴者が望まなくて要請もしない情報を伝達する非効率と、すべての視聴者に同じ情報を伝達するなどのサービス具現上に制約がある。
【００１０】
また、通信網を通じて放送と関連した情報を提供するようにサービスを具現する場合にも、放送網を通じて提供される放送情報と通信網を通じて提供される付加情報の間の時間的な同期化を効率よく成すことができる方案が備えられていない状態にあるので、このような制約を克服するための方案が要求される実情である。
【００１１】
一方、デジタルマルチメディア放送（Ｄｉｇｉｔａｌ Ｍｕｌｔｉｍｅｄｉａ Ｂｒｏａｄｃａｓｔｉｎｇ；ＤＭＢ）サービスとは、放送と通信が融合した移動マルチメディア放送サービスであって、携帯電話、個人携帯端末機（ＰＤＡ）、車両端末機などを介してＣＤ水準の音質とデータ、高画質動画のサービスを提供するデジタル放送サービスである。
【００１２】
現在、移動通信端末機にはこのようなデジタルマルチメディア放送受信機能が具現されている。これにより、移動通信加入者は地下鉄やバスの中でも移動通信端末を利用してドラマを見るとか高音質の音楽を聞くとかすることができ、放送視聴のうち、ニュースや天気、株価指数のような情報をいつも受けることができ、聞いている音楽の名称や歌詞を字幕または写真で見ることもできるようになった。
【００１３】
一方、このようなＤＭＢサービスを用いる使用者は既存の移動通信加入者とは異なる使用者グループを形成しており、これによりこのような新形態の使用者グループを対象とする新規のサービスの創出が非常に重要に要求されている。
【００１４】
また、ＤＭＢ使用者の放送コンテンツの視聴によって、既存のＮＡＴＥ、ＪＵＮＥのようなデータ市場を蚕食する可能性があり、これを克服するためには、ＤＭＢと通信の多様なコンテンツ融合によって新市場を開拓しようとするサービス事業者の活動が非常に活発に行われている。
【００１５】
現在、ケーブルＴＶのような放送で爆発的な成長勢を見せているホームショッピングはもう物品販売の基本手段になった。ＤＭＢの放送コンテンツとホームショッピングまたはＰＰＬ（Ｐｒｏｄｕｃｔ Ｐｌａｃｅｍｅｎｔ）情報サービスを組み合わせてモバイル電子商取引を活性化させることができるなら、これによる売上げの増加とともにデータ利用率を増大させることができる。
【００１６】
ここで、ＰＰＬとはマーケティング戦略の一つで、映像産業の規模が大型化し精巧になるにしたがい、映画、ドラマなどに自社の特定製品を登場させて広報する間接広告方式をいい、ＰＰＬ情報サービスは、このようなＰＰＬ情報を使用者が選択すれば、使用者に詳細情報を伝達し、これをＤＭＢコンテンツと連動して端末機で表示されるようにするサービスを言う。
【００１７】
ところが、このようなＰＰＬ情報サービスを提供するためには、一方向サービスであるＤＭＢサービスを無線インターネットと連動させることが必ず必要であり、このために、現在端末機との連動サーバーの具現、ＰＰＬコンテンツの製作、端末機の具現などが要求されている実情である。
【発明の概要】
【発明が解決しようとする課題】
【００１８】
したがって、本発明は前述したような先行技術の問題点を解決するためになされたもので、本発明の目的は、実時間で可変する放送コンテンツによる付加情報を該当放送コンテンツに正確にマッチングさせて使用者に提供する放送コンテンツに関連した付加情報サービス提供システム及びその方法を提供することにある。
【００１９】
また、本発明の他の目的は、放送網を通じて提供される両方向データ放送サービスを移動通信網などの通信網を通じて効率よく具現するための放送コンテンツに関連した付加情報サービス提供システム及び方法、並びにこれに適用されるサーバーを提供することにある。
【００２０】
また、本発明のさらに他の目的は、放送網を通じて提供される諸般放送情報と通信網を通じて送受信される両方向データサービス関連付加情報の間の時間的な同期化を効率よく具現するための放送コンテンツに関連した付加情報サービス提供システム及び方法、並びにこれに適用されるサーバーを提供することにある。
【００２１】
また、本発明のさらに他の目的は、使用者が使用者端末機を通じて放送視聴中に放送画面に現れた人物や商品などの情報を両方向通信チャネルである無線インターネットを通じて要請して受けることができるようにするＧＵＩＰ（Ｇｒａｐｈｉｃ ｕｓｅｒ ｉｎｔｅｒｆａｃｅ ｉｎ Ｐｉｃｔｕｒｅ）サービスを受けることができるようにする放送コンテンツに関連した付加情報提供サービスシステム及び方法を提供することにある。
【００２２】
そして、本発明のさらに他の目的は、使用者端末機と付加情報提供のための付加情報サービス提供サーバー及びコンテンツサーバーの間の連動方案を提供し、特に既存の放送システムの変更なしにＤＭＢ放送サービスとＰＰＬ情報サービスの融合によって多様な情報を提供するようにしたＧＵＩＰサービスの具現ができるようにし、新形態のＤＭＢ使用者グループに対するデータ市場の蚕食を防止し、新規データ市場を新たに創出することにある。
【課題を解決するための手段】
【００２３】
前述したような目的を達成するために、本発明の一観点によれば、放送コンテンツに関連した付加情報サービス提供システムが提供され、このシステムは、放送システムから多様な放送コンテンツ及び放送コンテンツに対する編成情報を受け、特定放送コンテンツの開始時間情報を確認し、前記送出される放送コンテンツから該当放送コンテンツの開始時間に対応するＰＴＳ（Ｐｒｅｓｅｎｔａｔｉｏｎ Ｔｉｍｅ Ｓｔａｍｐ）情報を抽出し、前記絶対時間情報とともに伝送するＰＴＳ情報生成サーバー；及び前記放送コンテンツに対応する多様な付加情報を保存し、前記ＰＴＳ情報生成サーバーから前記放送コンテンツの開始時間情報及び前記開始時間情報に対応するＰＴＳ情報を受け、前記放送コンテンツの特定画面と該当付加情報を関連させ、使用者端末機の要請に応じて通信インフラを通じて提供する付加情報サービス提供サーバー；を含む。
【００２４】
前記構成において、前記放送システムは、地上波を通じてのＤＴＶ放送、衛星を通じての衛星ＴＶ放送、衛星ＤＭＢ、地上波ＤＭＢの中でいずれか一つを提供するシステムである。
【００２５】
前記構成において、前記ＰＴＳ情報生成サーバーは、前記送出される放送コンテンツに含まれたＭＰＥＧ−ＴＳ（Ｍｏｖｉｎｇ Ｐｉｃｔｕｒｅ Ｅｘｐｅｒｔｓ Ｇｒｏｕｐ Ｔｒａｎｓｐｏｒｔ Ｓｔｒｅａｍ）から前記開始時間に対応するＰＴＳ情報を抽出する。
前記構成において、前記付加情報サービス提供サーバーは、前記ＰＴＳ情報生成サーバーから提供されるＰＴＳ情報に基づいて前記送出される放送コンテンツに含まれたＭＰＥＧ−ＴＳから前記放送コンテンツの開始時点を把握する。
【００２６】
前記構成において、前記使用者端末機は、前記送出される放送コンテンツの中で特定画面のイメージフレームに対するＰＴＳ情報を前記付加情報サービス提供サーバーに伝送し、付加情報を要請する。
【００２７】
前記構成において、前記付加情報サービス提供サーバーは、前記放送コンテンツの開始時間情報に対応するＰＴＳ情報及び前記使用者端末機から提供される前記特定画面のイメージフレームに対するＰＴＳ情報に基づいて前記特定画面による経過時間を計算し、前記使用者端末機が要請した特定画面に対応する付加情報を抽出する。
【００２８】
前記構成において、前記通信インフラは、セルラー、ＰＣＳ、無線ＬＡＮ、Ｗ−ＣＤＭＡ、携帯インターネットの中で一つを含む。
【００２９】
本発明の他の観点によれば、放送コンテンツと付加情報の同期化方法が提供され、この方法は、ａ）ＰＴＳ情報生成サーバーが放送システムから放送コンテンツ及び放送コンテンツの開始時間情報を受信し、前記放送コンテンツから前記開始時間に対応するＰＴＳ（Ｐｒｅｓｅｎｔａｔｉｏｎ Ｔｉｍｅ Ｓｔａｍｐ）情報を抽出する段階；ｂ）付加情報サービス提供サーバーが前記開始時間に対応するＰＴＳ情報に基づいて前記送出される放送コンテンツの開始時点を認知する段階；ｃ）前記送出される放送コンテンツを受信する使用者端末機が特定画面のイメージフレームに対するＰＴＳ情報を伝送して付加情報を要請する段階；ｄ）前記付加情報サービス提供サーバーが前記放送コンテンツの開始時間情報に対応するＰＴＳ情報及び前記使用者端末機から提供される前記特定画面のイメージフレームに対するＰＴＳ情報に基づいて前記特定画面による経過時間を計算する段階；及びｅ）前記計算された経過時間に基づいて前記特定画面に対応する付加情報を抽出して前記使用者端末機に提供する段階；を含む。
【００３０】
前記構成において、前記ａ）段階は、前記送出される放送コンテンツに含まれたＭＰＥＧ−ＴＳ（Ｍｏｖｉｎｇ Ｐｉｃｔｕｒｅ Ｅｘｐｅｒｔｓ Ｇｒｏｕｐ Ｔｒａｎｓｐｏｒｔ Ｓｔｒｅａｍ）から前記開始時間に対応するＰＴＳ情報を抽出する。
【００３１】
前記構成において、前記ｂ）段階は、前記開始時間に対応するＰＴＳ情報に基づいて前記送出される放送コンテンツに含まれたＭＰＥＧ−ＴＳから前記放送コンテンツの開始時点を把握する。
【００３２】
前記目的を達成するために、本発明の他の観点による付加情報サービス提供システムは、放送コンテンツ、前記放送コンテンツに対応する放送編成情報及び両方向データ放送付加情報を放送網を通じて受信し、使用者端末機で前記放送コンテンツを再生するためのＰＴＳ（Ｐｒｅｓｅｎｔａｔｉｏｎ Ｔｉｍｅ Ｓｔａｍｐ）情報を抽出し、前記ＰＴＳ情報及び前記両方向データ放送付加情報を時間的に同期化するためのＣＴＳ（Ｃｏｍｐｏｓｉｔｉｏｎ Ｔｉｍｅ Ｓｔａｍｐ）情報を形成し、前記ＣＴＳ情報を含む両方向データ放送付加情報及び前記ＰＴＳ情報を送出するためのＰＴＳ情報生成サーバー及び前記放送編成情報の受信によってサービス連動を行って、前記ＰＴＳ情報、前記ＣＴＳ情報を含む両方向データ放送付加情報及び前記放送編成情報を互いにマッチングするように管理し、前記使用者端末機のサービス要請に含まれる前記ＰＴＳ情報に基づいて前記両方向データ放送付加情報を抽出して前記使用者端末機に伝達するための付加情報サービス提供サーバーを含む。
【００３３】
好ましくは、前記ＰＴＳ情報生成サーバーは、前記放送システムから受信される情報量及び前記付加情報サービス提供サーバーに送出する情報量の中で少なくとも一つに対する通信環境を判別し、前記ＣＴＳ情報を含む両方向データ放送付加情報を形成するかを決定する。
【００３４】
好ましくは、前記ＰＴＳ情報生成サーバーは、前記ＣＴＳ情報を含む両方向データ放送付加情報を形成しない場合、前記ＰＴＳ情報を前記付加情報サービス提供サーバーに伝達する。
【００３５】
好ましくは、前記付加情報サービス提供サーバーは、前記ＰＴＳ情報の受信に基づいて前記ＣＴＳ情報を含む両方向データ放送付加情報を形成する。
【００３６】
好ましくは、前記付加情報サービス提供サーバーは、放送網を通じてブロードキャスティングされるＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）情報をモニタリングして前記放送編成情報を受けるか、前記ＰＴＳ情報生成サーバーを通じて前記放送編成情報を受ける。
【００３７】
好ましくは、前記付加情報サービス提供サーバーは、前記ＣＴＳ情報を含む両方向データ放送付加情報をＢＩＦＳ（Ｂｉｎａｒｙ Ｆｏｒｍａｔ Ｆｏｒ Ｓｃｅｎｅ）フォーマットに変換して保存する。
【００３８】
また、前記目的を達成するために、本発明のさらに他の観点によるＰＴＳ情報生成サーバーは、放送網を通じて提供される放送コンテンツに対する情報の中で使用者端末機で前記放送コンテンツを再生するためのＰＴＳ情報及び前記放送コンテンツに対応する両方向データ放送付加情報を抽出し、前記ＰＴＳ情報及び前記両方向データ放送付加情報を時間的に同期化するためのＣＴＳ情報を形成し、前記ＣＴＳ情報を含む両方向データ放送付加情報及び前記ＰＴＳ情報の中で少なくとも一つを両方向データ放送サービスを行う付加情報サービス提供サーバーに伝達する。
【００３９】
好ましくは、前記ＰＴＳ情報生成サーバーは、前記放送網及び前記付加情報サービス提供サーバーと連動するためのインターフェース部、前記放送網を通じて受信される情報量及び前記付加情報サービス提供サーバーに送出する情報量の中で少なくとも一つに対する通信環境を判別するための通信環境判別部、及び通信環境判別結果に基づいて前記ＣＴＳ情報を含む両方向データ放送付加情報を形成するかを決定した後、前記ＣＴＳ情報を含む両方向データ放送付加情報及び前記ＰＴＳ情報の中で少なくとも一つを前記付加情報サービス提供サーバーに送出するための情報形成／送出部を含む。
【００４０】
また、前記目的を達成するために、本発明のさらに他の観点による付加情報サービス提供サーバーは、放送網を通じて提供される放送編成情報を受信して両方向データ放送サービスを行い、使用者端末機で放送コンテンツを再生するためのＰＴＳ情報及び前記放送コンテンツに対応する両方向データ放送付加情報を前記ＰＴＳ情報と時間的に同期化するためのＣＴＳ情報を含む両方向データ放送付加情報を前記放送網を通じて受け、通信網に基づく前記使用者端末機のサービス要請に含まれる前記ＰＴＳ情報に基づいて前記両方向データ放送付加情報を抽出して前記使用者端末機に伝達する。
【００４１】
好ましくは、前記付加情報サービス提供サーバーは、前記ＣＴＳ情報を含む両方向データ放送付加情報を受けることができない場合、前記ＰＴＳ情報及び前記両方向データ放送付加情報に基づいて前記ＣＴＳ情報を含む両方向データ放送付加情報を形成するためのプロセスを行う。
【００４２】
好ましくは、前記付加情報サービス提供サーバーは、放送システムから送出する前記放送コンテンツに対する時間連動情報、前記ＰＴＳ情報及び前記ＣＴＳ情報に基づいて前記放送コンテンツ及び前記両方向データ放送付加情報に対する同期化を行うための同期化実行部、前記放送網及び前記通信網の中でいずれか一つと連動するためのインターフェース部、前記ＣＴＳ情報を含む両方向データ放送付加情報をＢＩＦＳフォーマットに変換して保存するためのコンテンツ管理部、及び前記通信網に基づいて前記使用者端末機とメッセージ交換を行うためのプロトコルを通じて前記ＣＴＳ情報を含む両方向データ放送付加情報を前記使用者端末機に伝達するためのプロセスを行う制御部を含む。
【００４３】
また、前記目的を達成するために、本発明のさらに他の観点による放送コンテンツに関連した付加情報サービス提供方法は、（Ａ）放送網を通じて放送コンテンツ、前記放送コンテンツに対応する放送編成情報及び両方向データ放送付加情報を送出する段階、（Ｂ）使用者端末機で前記放送コンテンツを再生するためのＰＴＳ情報を抽出する段階、（Ｃ）前記ＰＴＳ情報及び前記両方向データ放送付加情報を時間的に同期化するためのＣＴＳ情報を形成する段階、（Ｄ）前記ＣＴＳ情報を含む両方向データ放送付加情報及び前記ＰＴＳ情報を送出する段階、（Ｅ）前記ＰＴＳ情報、前記ＣＴＳ情報を含む両方向データ放送付加情報及び前記放送編成情報を互いにマッチングするように管理する段階、及び（Ｆ）前記使用者端末機の前記ＰＴＳ情報を含むサービス要請に応答して前記両方向データ放送付加情報を抽出した後、前記使用者端末機に伝達する段階を含む。
【００４４】
好ましくは、前記（Ｃ）段階は、前記放送網を通じて送受信される情報量を含む通信環境によって前記ＣＴＳ情報を形成するかを決定する段階をさらに含む。
【００４５】
好ましくは、前記（Ｄ）段階は、前記ＣＴＳ情報が形成されない場合、前記ＰＴＳ情報を送出する。
【００４６】
好ましくは、前記（Ｅ）段階は、前記ＰＴＳ情報の受信に基づいて前記ＣＴＳ情報を形成し、前記ＣＴＳ情報を含む両方向データ放送付加情報を形成する段階をさらに含む。
【００４７】
本発明の前記目的は、デジタルマルチメディア放送画面に表示される客体別に提供可能な付加情報の種類に対する情報を提供する付加情報サービス提供サーバー及び前記付加情報サービス提供サーバーに接続可能な使用者端末機の間の連動によってデジタルマルチメディア放送画面に表示される人物や商品などに対する付加情報を使用者に提供するための放送コンテンツに関連した付加情報サービス提供方法であって、放送網を通じてデジタルマルチメディア放送を受信する使用者端末機が使用者のＧＵＩＰ開始キーの選択によって前記付加情報サービス提供サーバーに接続して現在視聴中の放送のチャネル情報及びプログラム情報を含むＰＰＬ情報要請メッセージを前記付加情報サービス提供サーバーに伝送する第１段階；前記付加情報サービス提供サーバーが前記ＰＰＬ情報要請メッセージに含まれた情報に基づいて該当放送プログラムに対し、放送画面に表示される客体の選択のためのガイド情報、各客体に対して提供可能な付加情報の種類、及び各付加情報コンテンツをダウンロードするようにするコンテンツＵＲＬ情報を含むＰＰＬ情報を前記使用者端末機にダウンロードする第２段階；前記使用者端末機が現在視聴中の放送と前記ＰＰＬ情報の同期化によって、使用者が放送画面で特定客体を選択するようにし、選択された客体に対して提供可能な付加情報の中で一つを選択するようにする第３段階；及び前記第３段階によって使用者が特定客体及び該当客体に対して受けようとする付加情報を選択すれば、前記使用者端末機が該当付加情報に対するコンテンツＵＲＬに接続してコンテンツをダウンロードする第４段階；を含む付加情報サービス提供方法によって達成される。
【００４８】
また、本発明の前記目的は、デジタルマルチメディア放送画面に表示される客体別に提供可能な付加情報の種類に対する情報を提供する付加情報サービス提供サーバー及び前記付加情報サービス提供サーバーに接続可能な使用者端末機の間連動によってデジタルマルチメディア放送画面に表示される人物や商品などに対する付加情報を使用者に提供するための放送コンテンツに関連した付加情報サービス提供方法として、放送網を通じてデジタルマルチメディア放送受信中の使用者端末機で使用者が放送画面の特定地点を選択すれば、前記付加情報サービス提供サーバーに接続して現在視聴中の放送のチャネル情報、プログラム情報及び選択された地点の座標情報を含むＧＵＩＰ情報要請メッセージを前記付加情報サービス提供サーバーに伝送する第１段階と；前記付加情報サービス提供サーバーが前記ＧＵＩＰ情報要請メッセージに含まれた情報に基づいて、該当放送プログラムの各放送画面に表示される客体座標情報、客体別に提供可能な付加情報の種類及び各付加情報コンテンツをダウンロードするようにするコンテンツＵＲＬ情報を含むＰＰＬ情報データベースを参照で、使用者が選択した地点の客体を識別して該当客体に対して提供可能な付加情報の種類及び各付加情報コンテンツをダウンロードするようにするコンテンツＵＲＬ情報を含むＧＵＩＰ情報応答メッセージを前記使用者端末機に伝送する第２段階と；前記使用者端末機が前記ＧＵＩＰ情報応答メッセージに含まれた付加情報の種類を表示して使用者がいずれか一つの付加情報を選択するようにする第３段階と；前記第３段階によって使用者が該当客体に対して提供受けようとする付加情報を選択すれば、該当付加情報に対するコンテンツＵＲＬで接続してコンテンツをダウンロードする第４段階；を含む付加情報サービス提供方法によって達成される。
【００４９】
そして、本発明の前記目的は、デジタルマルチメディア放送画面に表示される客体別に提供可能な付加情報の種類に対する情報を提供する付加情報サービス提供サーバー及び前記客体別に提供可能な付加情報のコンテンツを提供するコンテンツサーバーを含み、使用者端末機でデジタルマルチメディア放送画面に表示される人物や商品などに対する付加情報を使用者に提供するための付加情報サービス提供システムであって、前記付加情報サービス提供サーバーは、放送画面に表示される客体の選択のためのガイド情報、各客体に対して提供可能な付加情報の種類、及び各付加情報コンテンツをダウンロードするようにするコンテンツＵＲＬ情報を含むＰＰＬ情報を各放送プログラム別に保存するＰＰＬ情報データベース；使用者端末機から放送のチャネル情報及びプログラム情報を含むＰＰＬ情報要請メッセージが受信されれば、前記ＰＰＬ情報要請メッセージに含まれた情報に基づいて前記ＰＰＬ情報データベースから該当放送プログラムに対するＰＰＬ情報を検索し、該当ＰＰＬ情報をダウンロードすることができるＵＲＬ情報を前記使用者端末機に提供するＰＰＬ情報検索部；及び前記使用者端末機が前記ＵＲＬに接続することによって該当ＰＰＬ情報をダウンロードするＰＰＬ情報ダウンロード部；を含むデジタルマルチメディア放送の付加情報提供のための付加情報サービス提供システムによって達成される。
【００５０】
また、本発明の前記目的は、デジタルマルチメディア放送画面に表示される客体別に提供可能な付加情報の種類に対する情報を提供する付加情報サービス提供サーバー及び前記客体別に提供可能な付加情報のコンテンツを提供するコンテンツサーバーを含み、使用者端末機でデジタルマルチメディア放送画面に表示される人物や商品などに対する付加情報を使用者に提供するための付加情報サービス提供システムであって、前記付加情報サービス提供サーバーは、放送画面に表示される客体座標情報、客体別に提供可能な付加情報の種類、及び各付加情報コンテンツをダウンロードするようにするコンテンツＵＲＬ情報を含むＰＰＬ情報を各放送プログラム別に保存するＰＰＬ情報データベース；使用者が放送画面の特定地点を選択することによって使用者端末機から現在視聴中の放送のチャネル情報、プログラム情報及び選択された地点の座標情報を含むＧＵＩＰ情報要請メッセージが受信されれば、前記ＧＵＩＰ情報要請メッセージに含まれた情報に基づいて、前記ＰＰＬ情報データベースを参照し、使用者が選択した地点の客体を識別して該当客体に対して提供可能な付加情報の種類及び各付加情報コンテンツをダウンロードするようにするコンテンツＵＲＬ情報を含むＧＵＩＰ情報応答メッセージを前記使用者端末機に伝送するＧＵＩＰ情報提供部；を含むデジタルマルチメディア放送の付加情報提供のための付加情報サービス提供システムによって達成される。
【発明の効果】
【００５１】
本発明の一観点による放送コンテンツに関連した付加情報サービス提供システム及びその方法は、実時間で可変する放送コンテンツの各フレームによる付加情報をそれぞれのフレームに正確にマッチングさせて提供することにより、使用者のサービス満足度を向上させることができる。
【００５２】
また、本発明の他の観点による放送コンテンツに関連した付加情報サービス提供システム及び方法、並びにこれに適用されるサーバーによれば、放送網を通じて提供される両方向データ放送サービスを移動通信網などの通信網を通じて効率よく具現し、放送網を通じて提供される諸般放送情報と通信網を通じて送受信される両方向データサービス関連付加情報の間の時間的な同期化を効率よく具現することにより、放送視聴中に付加サービスに対する視聴者の要請に弾力的に対応することが可能であり、放送サービスをより多様に具現することができるだけでなく、通信網を活用して放送サービスに対する商業性を一層倍加することができる利点がある。
【００５３】
また、本発明のさらに他の観点による放送コンテンツに関連した付加情報サービス提供システム及び方法によれば、使用者が使用者端末機を通じて放送視聴中に放送画面に現れた人物や商品などの情報を両方向通信チャネルである無線インターネットを通じて要請して受けることができるようにするＧＵＩＰ（Ｇｒａｐｈｉｃ ｕｓｅｒ ｉｎｔｅｒｆａｃｅ ｉｎ Ｐｉｃｔｕｒｅ）サービスを受けることができる。また、本発明によれば、使用者端末機と付加情報提供のための付加情報サービス提供サーバー及びコンテンツサーバーの間の連動によって既存の放送システムの変更なしにＤＭＢ放送サービスとＰＰＬ情報サービスの融合による多様な情報を提供することができるという利点があり、これにより、新形態のＤＭＢ使用者グループに対するデータ市場の蚕食を防止するだけでなく、新規データ市場を新たに創出することができると期待される。
【図面の簡単な説明】
【００５４】
本明細書に添付する図面は本発明の好適な実施例を例示するもので、後述する発明の詳細な説明とともに本発明の技術思想をもっと理解させる役目をするものであり、本発明はこの図面に記載した事項に限定されるものと解釈されてはいけない。
【図１】本発明の一実施例による放送コンテンツに関連した付加情報サービス提供システムを説明するためのネットワーク構成図である。
【図２】本発明の一実施例による放送コンテンツに関連した付加情報サービス提供方法を説明するためのフローチャートである。
【図３】本発明の他の実施例による放送コンテンツに関連した付加情報サービス提供システムを説明するためのネットワーク構成図である。
【図４】図３に示すＰＴＳ情報生成サーバーの構成図である。
【図５】図３に示す付加情報サービス提供サーバーの構成図である。
【図６】図３に示す放送コンテンツに関連した付加情報サービス提供システムの動作過程を示すフローチャートである。
【図７】本発明のさらに他の実施例による放送コンテンツに関連した付加情報サービス提供システムを説明するためのネットワーク構成図である。
【図８】本発明のさらに他の実施例による放送コンテンツに関連した付加情報サービス提供サーバーの構成図である。
【図９】本発明のさらに他の実施例による放送コンテンツに関連した付加情報サービス提供方法を順次示すフローチャートである。
【図１０】本発明のさらに他の実施例による放送コンテンツに関連した付加情報サービス提供方法を順次示すフローチャートである。
【発明を実施するための形態】
【００５５】
以下、添付図面に基づいて本発明の好適な実施例を詳細に説明する。
【００５６】
図１及び図２を参照して、本発明の一観点による実時間で可変する放送コンテンツによる付加情報を該当放送コンテンツに正確にマッチングさせて使用者に提供する放送コンテンツに関連した付加情報サービス提供システム及びその方法について説明する。
【００５７】
図１は本発明の実施例による放送コンテンツに関連した付加情報サービス提供システムを説明するためのネットワーク構成図を示す。
【００５８】
図１に示すように、前記システムは、放送システム１００、付加情報サービス提供システム２００及び使用者端末機１０を含む。
【００５９】
放送システム１００は、多様な放送コンテンツを放送インフラを通じて送出し、前記送出される放送コンテンツに対する編成情報を保存する。付加情報サービス提供システム２００は、前記送出される放送コンテンツの開始時間に対するＰＴＳ（Ｐｒｅｓｅｎｔａｔｉｏｎ Ｔｉｍｅ Ｓｔａｍｐ）情報を抽出するＰＴＳ情報生成サーバー２１０；及び前記放送コンテンツに対応する多様な付加情報を保存し、使用者端末機１０に要請に応じて、該当付加情報を抽出して提供する付加情報サービス提供サーバー２２０；を含む。使用者端末機１０は、前記放送システム１００から送出される放送コンテンツを受信し、該当放送コンテンツに関連した付加情報を通信インフラを通じて前記付加情報サービス提供サーバー２２０に要請して受信する。
【００６０】
前記放送システム１００は、Ｈ．２６４ ｅｎｃｏｄｅｒ、ＭＰＥＧ２ ｅｎｃｏｄｅｒ、ＭＰＥＧ４ ｅｎｃｏｄｅｒなどの多数のビデオエンコーダー１１０；前記ビデオエンコーダー１１０；から提供される放送コンテンツを統合し放送インフラを通じて送出するＲｅＭｕｘ１２０；及び前記ＲｅＭｕｘを通じて送出される多様な放送コンテンツに対する編成情報を保存する放送編成データベース１３０；を含む構成を持つ。ここで、前記放送コンテンツはＡ／Ｖ（Ａｕｄｉｏ／Ｖｉｄｅｏ）コンテンツを指す。そして、前記放送インフラは、地上波によるＤＴＶ、衛星による衛星ＴＶ、衛星ＤＭＢ、地上波ＤＭＢなどが当たる。
【００６１】
使用者端末機１０は、受信される放送信号を処理して提供し、通信網を通じてデータを送受信することができる放送通信融合端末装置である。使用者端末機１０は、移動通信端末機、ＰＤＡ、ノートブックなどの多様な形態の端末装置で具現できる。
【００６２】
前記ＰＴＳ情報生成サーバー２１０は、放送システム１００から多様な放送コンテンツ及び放送コンテンツに対する編成情報を受信し、特定放送コンテンツの開始時間情報を確認し、前記送出される放送コンテンツから該当放送コンテンツの開始時間に対応するＰＴＳ（Ｐｒｅｓｅｎｔａｔｉｏｎ Ｔｉｍｅ Ｓｔａｍｐ）情報を抽出し、前記絶対時間情報とともに前記付加情報サービス提供サーバー２２０に伝送する。好ましくは、ＰＴＳ情報生成サーバーは、前記送出される放送コンテンツに含まれたＭＰＥＧ−ＴＳ（Ｍｏｖｉｎｇ Ｐｉｃｔｕｒｅ Ｅｘｐｅｒｔｓ Ｇｒｏｕｐ Ｔｒａｎｓｐｏｒｔ Ｓｔｒｅａｍ）から前記開始時間に対応するＰＴＳ情報を抽出して前記付加情報サービス提供サーバー２２０に伝送する。
【００６３】
前記付加情報サービス提供サーバー２２０は、前記放送コンテンツに対応する多様な付加情報を保存し、前記ＰＴＳ情報生成サーバー２１０から前記放送コンテンツの開始時間情報及び前記開始時間情報に対応するＰＴＳ情報を受け、放送コンテンツの特定画面と該当付加情報を関連させ、使用者端末機１０の要請に応じて通信インフラを通じて該当付加情報を提供する。
【００６４】
すなわち、付加情報サービス提供サーバー２２０は、前記ＰＴＳ情報生成サーバー２１０から提供されるＰＴＳ情報に基づき、送出される放送コンテンツに含まれたＭＰＥＧ−ＴＳから前記放送コンテンツの開始時点を把握し、前記放送コンテンツの開始時間情報に対応するＰＴＳ情報及び付加情報要請による前記使用者端末機１０から提供される前記特定画面のイメージフレームに対するＰＴＳ情報に基づいて前記特定画面による経過時間を計算し、前記使用者端末機１０が要請した特定画面に対応する付加情報を抽出して通信インフラを通じて使用者端末機１０に提供する。一方、使用者端末機１０の付加情報要請の際、放送コンテンツの中で特定画面のイメージフレームに対するＰＴＳ情報のみならず座標情報も同時に提供されることができ、これを受信した付加情報サービス提供サーバー２２０は、経過時間及び座標情報（特定画面イメージ上のＸ及びＹ座標）をパラメーターとして該当付加情報を抽出する。
【００６５】
前記使用者端末機１０は放送コンテンツと通信付加情報を同時に受信することができる放送通信融合端末機に当たるもので、付加情報の要請の際、前述したように、自分が望む特定画面のイメージフレームに対するＰＴＳ情報及び位置座標を前記付加情報サービス提供サーバー２２０に伝送することにより、所望の付加情報を通信インフラを通じて受ける。ここで、通信インフラは、セルラー、ＰＣＳ、無線ＬＡＮ、Ｗ−ＣＤＭＡ、携帯インターネットなどに当たる。
【００６６】
以下、図２を参照して本発明の一実施例による放送コンテンツに関連した付加情報サービス提供方法を説明する。ここで、図２は本発明の実施例による放送コンテンツに関連した付加情報サービス提供方法を説明するためのフローチャートである。
【００６７】
まず、ＰＴＳ情報生成サーバー２１０が放送システム１００から放送コンテンツの開始時間情報を受信し、前記放送システムから送出される前記放送コンテンツから前記開始時間に対応するＰＴＳ情報を抽出する（Ｓ２１０）。好ましくは、ＰＴＳ情報生成サーバー２１０は、前記送出される放送コンテンツに含まれたＭＰＥＧ−ＴＳ（Ｍｏｖｉｎｇ Ｐｉｃｔｕｒｅ Ｅｘｐｅｒｔｓ Ｇｒｏｕｐ Ｔｒａｎｓｐｏｒｔ Ｓｔｒｅａｍ）から前記開始時間に対応するＰＴＳ情報を抽出する。
【００６８】
ついで、付加情報サービス提供サーバー２２０が前記開始時間に対応するＰＴＳ情報に基づいて前記送出される放送コンテンツの開始時点を認知する（Ｓ２２０）。好ましくは、付加情報サービス提供サーバー２２０は、前記開始時間に対応するＰＴＳ情報に基づき、前記送出される放送コンテンツに含まれたＭＰＥＧ−ＴＳから前記放送コンテンツの開始時点を把握する。
【００６９】
そして、前記送出される放送コンテンツを受信する使用者端末機１０が特定画面のイメージフレームに対するＰＴＳ情報及び位置座標を伝送して付加情報を要請する（Ｓ２３０）。
【００７０】
その後、前記付加情報サービス提供サーバー２２０が前記放送コンテンツの開始時間情報に対応するＰＴＳ情報及び前記使用者端末機１０から提供される前記特定画面のイメージフレームに対するＰＴＳ情報に基づいて前記特定画面による経過時間を計算する。
【００７１】
この後、付加情報サービス提供サーバー２２０は前記経過時間及び位置座標をパラメーターとして前記特定画面に対応する付加情報を抽出して前記使用者端末機１０に提供する（Ｓ２４０）。
【００７２】
以下、図３〜６を参照して本発明に他の観点による放送網を通じて提供される両方向データ放送サービスを移動通信網などの通信網を通じて効率よく具現するための付加情報サービス提供システムについて説明する。
【００７３】
図３は本発明の他の実施例による放送コンテンツに関連した付加情報サービス提供システムを説明するためのネットワークの構成図である。図３に示すネットワークは、放送システム１０１、付加情報サービス提供システム３００及び使用者端末機２０を含む。
【００７４】
放送システム１０１は、ニュース、ドラマなどのような放送コンテンツを放送網を通じて送出して放送サービスを提供し、放送編成ＤＢ１４０及びデータ放送スケジュール／素材ＤＢ１５０に基づいて少なくとも一つ以上の放送コンテンツに対応する放送編成情報及び両方向データ放送付加情報を送出する。
【００７５】
付加情報サービス提供システム３００は、ＰＴＳ情報生成サーバー３１０及び付加情報サービス提供サーバー３２０を含む。
【００７６】
ＰＴＳ情報生成サーバー３１０は、使用者端末機２０で受信する放送コンテンツを再生するためのＰＴＳ情報を抽出し、抽出したＰＴＳ情報及び前記放送システム１０１から受信される両方向データ放送付加情報を時間的に同期化するためのＣＴＳ情報を形成する。ＰＴＳ情報生成サーバー３１０は、ＣＴＳ情報を含む両方向データ放送付加情報をさらに形成し、前記ＰＴＳ情報とともに送出する。
【００７７】
付加情報サービス提供サーバー３２０は、放送編成情報の受信によって両方向データ放送サービスの連動を行い、受信されるＰＴＳ情報、ＣＴＳ情報を含む両方向データ放送付加情報及び放送編成情報を互いにマッチングするように管理する。また、付加情報サービス提供サーバー３２０は、通信網を通じた使用者端末機からのサービス提供要請に含まれるＰＴＳ情報に基づいて期保存中のＣＴＳ情報を含む両方向データ放送付加情報を読み取って該当両方向データ放送付加情報を抽出して前記使用者端末機２０に伝達する。
【００７８】
使用者端末機２０は、受信される放送信号を処理して提供し、通信網を通じてデータを送受信することができる放送通信融合端末装置である。使用者端末機２０は、移動通信端末機、ＰＤＡ、ノートブックなどの多様な形態の端末装置で具現されることができる。
【００７９】
本発明の一実施例によれば、前記ＰＴＳ情報生成サーバー３１０は、放送システム１０１から受信される情報量及び付加情報サービス提供サーバー３２０に送出する情報量のような通信環境を判別し、判別した結果によってＣＴＳ情報の形成及び前記ＣＴＳ情報を含む両方向データ放送付加情報を形成するかを決める。
【００８０】
これにより、ＰＴＳ情報生成サーバー３１０は、ＣＴＳ情報の形成及び前記ＣＴＳ情報を含む両方向データ放送付加情報を形成しないと決定される場合、付加情報サービス提供サーバー３２０にＰＴＳ情報を伝達して前記付加情報サービス提供サーバー３２０にＣＴＳ情報の形成及びＣＴＳ情報を含む両方向データ放送付加情報の形成を実行するようにする。
【００８１】
一方、付加情報サービス提供サーバー３２０は、放送網を通じてブロードキャスティングされるＰＳＩ／ＳＩ情報をモニタリングすることにより、放送編成情報との連動を行わないままで放送システム１０１から送出される放送編成情報を受けるか、あるいはＰＴＳ情報生成サーバー３１０を介して提供される放送編成情報を受けることができる。
【００８２】
また、付加情報サービス提供サーバー３２０は、ＣＴＳ情報を含む両方向データ放送付加情報をデータ放送の標準であるＢＩＦＳフォーマットに変換して保存し管理する。
【００８３】
図４は図３に示すＰＴＳ情報生成サーバーの構成図である。図４に示すように、本発明の一実施例によるＰＴＳ情報生成サーバー３１０は、インターフェース部３１２、通信環境判別部３１４及び情報形成／送出部３１６を含む。
【００８４】
インターフェース部３１２は、放送網及び付加情報サービス提供サーバーと連動するための動作を実行する。通信環境判別部３１４は、放送網を通じて受信される情報量及び付加情報サービス提供サーバー３２０に送出する情報量の中で少なくとも一方に対する通信環境を判別する。情報形成／送出部３１６は、通信環境判別結果に基づいてＣＴＳ情報を含む両方向データ放送付加情報を形成するかを決定した後、前記ＣＴＳ情報を含む両方向データ放送付加情報及び前記ＰＴＳ情報の中で少なくとも一つを付加情報サービス提供サーバー３２０に送出する。
【００８５】
図５は図３に示す付加情報サービス提供サーバー３２０の構成図である。図５に示すように、本発明の一実施例による付加情報サービス提供サーバー３２０は、同期化実行部３２２、インターフェース部３２４、コンテンツ管理部３２６及び制御部３２８を含む。
【００８６】
同期化実行部３２２は、放送システム１０１に送出する放送コンテンツに対する時間連動情報、ＰＴＳ情報及びＣＴＳ情報に基づいて放送コンテンツ及び両方向データ放送付加情報に対する同期を行う。インターフェース部３２４は、放送網及び通信網の中で少なくとも一つと連動するための動作を実行する。コンテンツ管理部３２６は、ＰＴＳ情報生成サーバー３１０からＣＴＳ情報を含む両方向データ放送付加情報の提供がない場合、ＣＴＳ情報を形成するか、前記ＣＴＳ情報を含む両方向データ放送付加情報をＢＩＦＳフォーマットに変換して保存する。制御部３２８は、通信網を通じて使用者端末機２０とメッセージ交換を行うためのプロトコルを通じてＣＴＳ情報を含む両方向データ放送付加情報をサービス要請した使用者端末機２０に伝達するための一連のプロセスを実行する。
【００８７】
以下、添付図面を参照して本発明による付加情報サービス提供システムの動作過程についてより詳細に説明する。
【００８８】
図６は図３に示す付加情報サービス提供システムの動作過程を示すフローチャートである。図６に一例として示すように、通信網基盤の両方向データ放送サービス提供方法は、放送システム１０１が各放送チャネルの放送コンテンツに関連した内容が含まれる放送編成情報、各チャネル別放送コンテンツ及び前記放送コンテンツに対応する両方向データ放送付加情報を放送網を通じて送出した後、ＰＴＳ情報生成サーバー３１０及び付加情報サービス提供サーバー３２０が放送網を通じて所定の情報を受信する（Ｓ６００〜Ｓ６０４）。
【００８９】
ここで、付加情報サービス提供サーバー３２０は、放送網を通じてブロードキャスティングされるＰＳＩ／ＳＩ情報をモニタリングして前記放送編成情報を受けるか、前記ＰＴＳ情報生成サーバー３１０を介して提供される放送編成情報を受けることができる。
【００９０】
その後、ＰＴＳ情報生成サーバー３１０は受信される放送コンテンツに関連した情報に基づいて使用者端末機２０で放送コンテンツを再生するための基準を提供するＰＴＳ情報を抽出した後（Ｓ６０６）、前記ＰＴＳ情報及び前記両方向データ放送付加情報を時間的に互いに同期化するための基準を提供するＣＴＳ情報を形成する（Ｓ６０８）。ここで、ＣＴＳ情報は、放送プログラムに含まれるＰＴＳを参考してネットワーク及び装備による遅延を考慮することにより、放送プログラムと付加情報の同期化をなす役目をする。たとえば、ＣＴＳ＝ＰＴＳ＋ｄｅｌａｙ ｏｆｆｓｅｔ（ｏｆｆｓｅｔ値は＋または−）値に設定可能である。
【００９１】
前記Ｓ６０８段階で形成したＣＴＳ情報に基づいて、ＣＴＳ情報を含む両方向データ放送付加情報をさらに形成した後（Ｓ６１０）、放送網を通じて付加情報サービス提供サーバー３２０に形成された情報を送出する（Ｓ６１２）。
【００９２】
したがって、付加情報サービス提供サーバー３２０は、放送網を通じて受信したＰＴＳ情報、ＣＴＳ情報を含む両方向データ放送付加情報及び放送編成情報を互いにマッチングするように管理して保存し（Ｓ６１４）、放送視聴中の使用者端末機から所定の付加情報の提供を要請されれば（Ｓ６１６）、前記要請に含まれるＰＴＳ情報を判別して関連のＣＴＳ情報を特定する過程によって該当両方向データ放送付加情報を抽出する（Ｓ６１８）。
【００９３】
その後、付加情報サービス提供サーバー３２０は、抽出した両方向データ放送付加情報をサービス要請の使用者端末機２０に伝達する（Ｓ６２０）。
【００９４】
以下、図７〜図１０に基づいて、本発明のさらに他の観点による放送コンテンツに関連した付加情報提供サービスシステム及び方法について説明する。本発明のさらに他の実施例による、使用者が使用者端末機を通じて放送を視聴しているうちに放送画面に現れた人物や商品などの情報を両方向通信チャネルである無線インターネットを通じて要請して受けることができるようにする付加情報サービス提供方法をＧＵＩＰ（Ｇｒａｐｈｉｃ ｕｓｅｒ ｉｎｔｅｒｆａｃｅ ｉｎ Ｐｉｃｔｕｒｅ）サービスだという。
【００９５】
図７は本発明のさらに他の実施例による放送コンテンツに関連した付加情報サービス提供システムを説明するためのネットワーク構成図、図８は本発明のさらに他の実施例による付加情報サービス提供サーバーの構成図である。
【００９６】
図７に示すように、本発明の放送コンテンツに関連した付加情報サービス提供システム７００は、放送システム１０２からＤＭＢ放送コンテンツを受信して再生する使用者端末機３０が移動通信網の両方向データサービス経路を通じて接続可能な付加情報サービス提供サーバー７１０及びコンテンツサーバー７２０を含んでなる。
【００９７】
前記使用者端末機３０は、放送システム１０２から衛星を通じて衛星ＤＭＢ放送コンテンツを受信するか、地上送信所を通じて地上波ＤＭＢ放送コンテンツを受信する端末機である。使用者端末機３０は、移動通信網のデータサービス経路である基地局／基地局制御器（ＢＴＳ／ＢＳＣ）４０及びパケットデータサービスノード（ＰＤＳＮ、５０）を介して付加情報サービス提供サーバー７１０及びコンテンツサーバー７２０に接続可能である。
【００９８】
付加情報サービス提供サーバー７１０は、デジタルマルチメディア放送画面に表示される客体別に提供可能な付加情報の種類に対する情報を提供する。以下で、前記付加情報サービス提供サーバー７１０が提供する情報はＰＰＬ情報と称する。
【００９９】
すなわち、前記付加情報サービス提供サーバー７１０は、ＰＰＬ情報を受信した使用者端末機３０との連動によって使用者が放送画面で特定客体を選択するようにし、選択された客体に対する付加情報コンテンツのサービスを使用者が受けることができるように支援するサーバーである。付加情報サービス提供サーバー７１０は、たとえば使用者が放送視聴中に任意のＧＵＩＰ開始キーを押せば、該当時点の後の放送画面に現れる客体（たとえば、歌手、歌手が着た衣裳など）の輪郭線及び各客体に対して提供可能な情報の種類（たとえば、歌手のプロファイル、歌手のアルバム、歌手が歌う歌の歌詞、歌手が着た衣裳の情報など）、該当情報、つまりコンテンツのダウンロード住所（ＵＲＬ）に対する情報を伝送する。
【０１００】
一方、前記輪郭線情報は使用者が客体を選択するようにするための情報であって、輪郭線情報を放送画面と同期化すれば、使用者端末機３０は使用者のキー入力によって選択される客体の輪郭線を表示することができるので、使用者が特定客体を選択するようにするガイド情報として提供される。
【０１０１】
タッチスクリーンを備える使用者端末機３０であれば、客体選択のために別にガイド情報を提供しなくても良い。この場合、使用者端末機３０は使用者が選択した地点の座標情報を付加情報サービス提供サーバー７１０に伝送して該当選択地点にある客体に対する情報を直接受けることができる。
【０１０２】
したがって、この場合、付加情報サービス提供サーバー７１０は前もって後続の放送に対するすべてのＰＰＬ情報を提供しなくても良く、特定地点選択の際、該当地点の客体に対して提供可能な付加情報の種類に対する情報及びコンテンツＵＲＬ情報（以下、ＧＵＩＰ情報という）のみを提供すれば良い。
【０１０３】
このように、本発明の付加情報サービス提供サーバー７１０は、使用者端末機３０が放送視聴中に放送画面に現れる客体（人物、商品など）を選択すれば、選択された客体に対して提供可能な情報を確認するようにし、選択された情報に対するコンテンツをコンテンツサーバー７２０からダウンロードすることができるようにＵＲＬを提供する。このため構成を図８に示す。
【０１０４】
図８に示すように、本発明の付加情報サービス提供サーバー７１０は、ＧＵＩＰサービス制御部７１１、ＰＰＬ情報検索部７１３、ＰＰＬ情報ダウンロード部７１５、及びＧＵＩＰ情報提供部７１６を含んでなる。
【０１０５】
前記ＧＵＩＰサービス制御部７１１は、使用者端末機３０から現在視聴中の放送のチャネル情報及びプログラム情報を含むＧＵＩＰ開始要請メッセージを受信し、受信されたＧＵＩＰ開始要請メッセージに含まれた情報を含むＧＵＩＰ開始応答メッセージを前記使用者端末機３０に伝送して、使用者または端末機によって情報確認がなされるようにする。
【０１０６】
ＧＵＩＰ開始要請メッセージは使用者が使用者端末機３０でＧＵＩＰ開始キーを選択することによって使用者端末機３０から自動で生成されて伝送されるサービス要請メッセージであって、ＭＩＮ番号、現在放送時間が分かるために提供するＰＴＳ情報、ＧＵＩＰサービス種類情報、端末機種類情報（ノートブック、携帯電話など）、放送チャネル情報、放送プログラム情報を含むことができる。
【０１０７】
ＰＴＳ（Ｐｒｅｓｅｎｔａｔｉｏｎ Ｔｉｍｅ Ｓｔａｍｐ）はＤＭＢ放送データパケットに入っているタイムスタンプであって、パケットヘッダーのＰＴＳを利用すれば該当放送プログラムで使用者がサービスを要請した時点の画面を探すことができるので、このようなＰＴＳ情報に基づいて付加情報サービス提供サーバー７１０は該当時点または該当時点の後に対するＰＰＬ情報またはＧＵＩＰ情報を提供する。
【０１０８】
ＧＵＩＰサービス種類情報はダウンロード方式を区分するための情報であり、本発明において付加情報サービス提供サーバー７１０がＰＰＬ情報をダウンロードする方式は、全体ダウンロード方式（ＦＵＬＬ ＰＲＥ−ＤＯＷＮＬＯＡＤ）、分割ダウンロード方式（ＰＡＲＴＩＴＩＯＮＥＤ ＰＲＥ−ＤＯＷＮＬＯＡＤ）及びオンデマンド方式（ＯＮＤＥＭＡＮＤ）がある。
【０１０９】
ここで、全体ダウンロード方式と分割ダウンロード方式は、ＰＰＬ情報要請メッセージを受信した場合、該当放送プログラムの後続放送に対する複数の客体の輪郭線情報、付加情報の種類、コンテンツＵＲＬを含むＰＰＬ情報をダウンロードする方式である。このうち、全体ダウンロード方式は、該当放送プログラム全体に対するＰＰＬ情報を一度にダウンロードする方式であり、分割ダウンロード方式は、通信網トラフィック負荷の分散のためにＰＰＬ情報を適当な大きさに分割して一定の間隔で周期的にかつ順次ダウンロードする方式を言う。
【０１１０】
そして、オンデマンド方式はタッチスクリーンがある使用者端末機３０に適用される方式であって、特定地点を選択して座標を含むＧＵＩＰ情報要請メッセージを受信した場合、該当客体に対する付加情報の種類及びコンテンツＵＲＬのみを含むＧＵＩＰ情報をダウンロードする方式である。
【０１１１】
このようなＧＵＩＰサービス種類は使用者端末機３０に予め設定されるか、ＧＵＩＰ開始キーを押すときに選択するようにするか、付加情報サービス提供サーバー７１０の加入者データベース７１２に保存されることができる。
【０１１２】
一方、本発明で提案するＧＵＩＰサービスがサービス加入者に提供されれば、前記ＧＵＩＰサービス制御部７１１は、ＧＵＩＰ開始要請メッセージ受信の際、加入者データベース７１２で該当加入者の情報が存在するかを確認し、加入者認証を行った後、認証結果を含ませてＧＵＩＰ開始応答メッセージを返事することができる。
【０１１３】
ついで、ＰＰＬ情報検索部７１３は、使用者端末機３０から放送のチャネル情報及びプログラム情報を含むＰＰＬ情報要請メッセージが受信されれば、前記ＰＰＬ情報要請メッセージに含まれた情報に基づいて前記ＰＰＬ情報データベース７１４から該当放送プログラムに対するＰＰＬ情報を検索し、該当ＰＰＬ情報をダウンロードすることができるＵＲＬ情報を前記使用者端末機３０に提供する。
【０１１４】
この際、前記ＰＰＬ情報検索部７１３は、前記使用者端末機３０がＰＰＬ情報を要請した後の該当放送に対するＰＰＬ情報を検索しなければならないので、使用者端末機３０から受信したＰＰＬ情報要請メッセージに含まれた放送プログラムの再生時間を示すＰＴＳ情報を用いて、以後に視聴される部分に対するＰＰＬ情報を検索する。
【０１１５】
前記ＰＰＬ情報データベース７１４は、放送画面に表示される客体の選択のためのガイド情報と、各客体に対して提供可能な付加情報の種類及び各付加情報コンテンツをダウンロードするようにするコンテンツＵＲＬ情報を含むＰＰＬ情報とを各放送プログラム別に保存する。
【０１１６】
たとえば、音楽放送プログラムの場合、ＰＰＬ情報のうち、客体は画面に表示される歌手であることができ、該当歌手に対して提供可能な付加情報の種類としては、該当歌手のプロファイル情報、該当歌手のアルバム情報、現在再生されている歌などがあり得る。そして、使用者が歌を選択したら、付加情報コンテンツとして該当音源コンテンツを提供することができるので、この場合、該当音源コンテンツのダウンロードＵＲＬ情報が前記ＰＰＬ情報に含まれる。
【０１１７】
前記でガイド情報は使用者が放送画面に表出される客体の中で一つを選択するようにする情報であって、前述したように客体の輪郭線を表示するための輪郭線情報であることができ、輪郭線の外にも多様に設計可能である。そして、このようなガイド情報は使用者端末機３０で放送データと同期化して、使用者が放送視聴中にキー入力によって所望の客体を選択するように、キー入力によって該当客体の輪郭線などのガイド情報を表示しなければならない。
【０１１８】
ＰＰＬ情報ダウンロード部７１５は、前記ＰＰＬ情報検索部７１３が使用者端末機１００に検索されたＰＰＬ情報をダウンロードすることができるようにするＵＲＬ情報を提供した場合、使用者端末機３０が該当ＵＲＬに接続すれば、該当ＰＰＬ情報をダウンロードする。
【０１１９】
前述したように、ＰＰＬ情報のダウンロード方式には、全体ダウンロード方式と分割ダウンロード方式とがある。よって、前記ＰＰＬ情報ダウンロード部７１５は、ＰＰＬ情報要請メッセージに、前記ＰＰＬ情報のダウンロード方式である全体ダウンロード方式と分割ダウンロード方式の中でいずれか一つのダウンロード方式に対する情報が含まれた場合、あるいは加入者データベース７１２に該当情報が保存されている場合、その情報によって、全体ダウンロード方式の場合はＰＰＬ情報全体を一度にダウンロードし、分割ダウンロード方式の場合はダウンロードすべきＰＰＬ情報を適当な大きさに分割し、分割された各ＰＰＬ情報を順次ダウンロードする。
【０１２０】
ついで、ＧＵＩＰ情報提供部７１６はタッチスクリーンがある使用者端末機３０へのサービスのための構成である。ＧＵＩＰ情報提供部７１６は、使用者が放送画面の特定地点を選択することによって、使用者端末機３０から現在視聴中の放送のチャネル情報、プログラム情報、選択された地点の座標情報、ＰＴＳ情報を含むＧＵＩＰ情報要請メッセージが受信されれば、前記ＧＵＩＰ情報要請メッセージに含まれた情報に基づいて、前記ＰＰＬ情報データベース７１４を参照して使用者が選択した地点の客体を識別する。その後、ＧＵＩＰ情報提供部７１６は、該当客体に対して提供可能な付加情報の種類及び各付加情報コンテンツをダウンロードするようにするコンテンツＵＲＬ情報を含むＧＵＩＰ情報応答メッセージを使用者端末機３０に伝送する。
【０１２１】
この場合、前記ＰＰＬ情報データベース７１４には、放送画面に表示される客体の座標情報がさらに保存されなければならない。正確には、客体が占めている画面領域に対する座標の範囲に対する情報が保存されなければならない。
【０１２２】
一方、ＰＰＬ情報ダウンロード部７１５は、使用者がサービスを要請した時点の後の放送に対するＰＰＬ情報を提供し、該当ＰＰＬ情報には客体を選択することができるガイド情報が含まれているので、使用者端末機３０はＰＰＬ情報をダウンロードした後、自ら使用者が選択した客体を識別し、該当付加情報コンテンツを受けることができる。
【０１２３】
一方、ＧＵＩＰ情報提供部７１６は、実時間で使用者が選択した座標情報を受信し、該当座標に対応する客体を識別して関連情報のみを提供する。
【０１２４】
一方、図８においては、ＰＰＬ情報をダウンロードして使用者端末機３０で客体を識別する場合と、使用者端末機３０で座標を伝送すれば、該当客体を付加情報サービス提供サーバー７１０が識別してＧＵＩＰ情報のみを提供する場合をともに実施するように付加情報サービス提供サーバー７１０を構成したが、前者のサービスのみを提供すればＧＵＩＰ情報提供部７１６が省略でき、後者のサービスのみを提供すればＰＰＬ情報検索部７１３及びＰＰＬ情報ダウンロード部７１５の構成が省略できる。
【０１２５】
図７及び図８に基づいて説明した付加情報サービス提供サーバー７１０、使用者端末機３０の具体的な連動方法及びサービス過程を図９及び図１０に基づいて順次説明すれば次のようである。
【０１２６】
まず、図９は本発明の一実施例によるＧＵＩＰサービス方法を順次示すフローチャートで、ＰＰＬ情報をダウンロードする場合の過程を示す。
【０１２７】
図示のように、使用者端末機３０は放送システム１０２から放送されるＤＭＢコンテンツを受信し（Ｓ９０１）再生することにより、使用者がＤＭＢコンテンツを視聴するようにし（Ｓ９０３）、ＤＭＢコンテンツの視聴中に使用者がＧＵＩＰ開始キーを選択すれば（Ｓ９０５）、付加情報サービス提供サーバー７１０にＧＵＩＰ開始要請メッセージを伝送する（Ｓ９０７）。この際、ＧＵＩＰ開始要請メッセージには、チャネル情報、放送プログラム情報、ＰＴＳ情報などが必ず含まれなければならないし、基本的に端末機のＭＩＮ番号、端末機の種類情報などが含まれる。
【０１２８】
付加情報サービス提供サーバー７１０は、端末機または加入者が情報をチェックするために、前記受信したＧＵＩＰ開始要請メッセージに含まれた情報を含ませてＧＵＩＰ開始応答メッセージを使用者端末機３０に伝送する（Ｓ９０９）。この際、ＧＵＩＰ開始要請メッセージの機能と、ＧＵＩＰ開始応答メッセージの機能は以後のＰＰＬ情報要請メッセージ及びＰＰＬ情報応答メッセージに含まれることもできる。
【０１２９】
使用者端末機３０は、チャネル、プログラム、ＰＴＳ情報などを含むＰＰＬ情報要請メッセージを付加情報サービス提供サーバー７１０に伝送し（Ｓ９１１）、これによって付加情報サービス提供サーバー７１０は、該当チャネル、プログラム、ＰＴＳ情報に基づいて該当使用者が視聴中の放送に対するＰＰＬ情報を検索し、そのＰＰＬ情報をダウンロードすることができるようにするＵＲＬ情報をＰＰＬ情報応答メッセージに含ませて伝送する（Ｓ９１３）。
【０１３０】
ＰＰＬ情報応答メッセージを受信した端末機３０は自動でまたは使用者のコンファームによって該当ＵＲＬに接続してＰＰＬ情報をダウンロードする（Ｓ９１５）。この際、ＰＰＬ情報には輪郭線情報などの客体選択ガイド情報と、客体別に提供可能な付加情報の種類に対する情報及び各付加情報コンテンツのＵＲＬ情報が含まれる。
【０１３１】
一方、ＰＰＬ情報のダウンロード過程（Ｓ９１５）を図面には一つで表現したが、分割ダウンロード方式の場合には、一定間隔を置いて分割されたＰＰＬ情報を多数回ダウンロードすることができる。
【０１３２】
前記のように、ＰＰＬ情報をダウンロードした使用者端末機３０は、ＰＰＬ情報をＤＭＢ放送データと同期化させて使用者の客体選択及び付加情報選択を支援し、使用者が放送視聴中に特定客体の輪郭線を選択すれば（Ｓ９１７）、該当客体に対する付加情報の種類を表示し（Ｓ９１９）、その中でいずれか一つが選択されれば（Ｓ９２１）、その付加情報コンテンツＵＲＬに接続して、使用者が要請したコンテンツをダウンロードする（Ｓ９２３）。
【０１３３】
ついで、図１０は客体の座標情報を伝送してＧＵＩＰ情報を受ける場合の実施例に対するものである。
【０１３４】
図示のように、使用者端末機３０は、放送システム１０２から放送されるＤＭＢコンテンツを受信し（Ｓ１００１）、使用者が視聴するように該当放送コンテンツを再生し（Ｓ１００３）、使用者がＧＵＩＰ開始キーを選択すれば（Ｓ１００５）、自動で付加情報サービス提供サーバー７１０に接続してＧＵＩＰ開始要請メッセージを伝送する（Ｓ１００７）。この際、ＧＵＩＰ開始要請メッセージには、チャネル、プログラム、ＰＴＳ、端末ＭＩＮ、端末種類などの情報が自動で挿入される。
【０１３５】
この際、付加情報サービス提供サーバー７１０からＧＵＩＰ開始応答メッセージが受信されれば（Ｓ１００９）、使用者端末機３０は放送画面で使用者が客体を選択するようにする機能を活性化させる。
【０１３６】
一般的な場合、タッチスクリーンで使用者が画面の特定地点を押しても何の動作もしないか、あるいはＤＭＢ放送機能の所定機能をすることができるので、本発明のサービスを提供するために、前記使用者端末機３０は、ＧＵＩＰ開始キーが選択されれば、該当サービス機能を活性化させ、以後に使用者が画面の中で特定地点を選択したとき（Ｓ１０１１）、該当座標情報（横軸、縦軸）及びＰＴＳ情報を含むＧＵＩＰ情報要請メッセージを付加情報サービス提供サーバー７１０に伝送しなければならない（Ｓ１０１３）。
【０１３７】
この際、ＧＵＩＰ情報要請メッセージには、当然チャネル、プログラム情報などが含まれなければならないし、場合によっては、ＧＵＩＰ開始要請メッセージによって伝送された情報であるので、該当情報を伝送しないように具現することもできる。
【０１３８】
付加情報サービス提供サーバー７１０は、ＧＵＩＰ情報要請メッセージに含まれた座標情報、ＰＴＳ情報に基づいて、該当時点に使用者が視聴した放送画面、及びその画面で使用者が選択した座標に対応する客体を識別し、それに対するＰＰＬ情報を検索する（Ｓ１０１５）。
【０１３９】
本実施例においては、検索されるＰＰＬ情報のうち、使用者が選択した客体に対して提供可能な付加情報の種類及びコンテンツＵＲＬのみを提供すれば良いので、付加情報サービス提供サーバー７１０は別に該当情報をダウンロードすることができるようにするＵＲＬを提供するものでなく、ＧＵＩＰ情報応答メッセージにＧＵＩＰ情報（付加情報の種類及びコンテンツＵＲＬ）を含ませて返事する（Ｓ１０１７）。
【０１４０】
これにより、使用者端末機３０は受信されたＧＵＩＰ情報の中で付加情報の種類に対する情報を画面に表示し（Ｓ１０１９）、使用者が特定付加情報を選択すれば（Ｓ１０２１）、該当コンテンツＵＲＬに接続してコンテンツのダウンロードを実施する（Ｓ１０２３）。
【産業上の利用可能性】
【０１４１】
本発明による放送コンテンツに関連した付加情報サービス提供システム及びその方法は、実時間で可変する放送コンテンツの各フレームによる付加情報をそれぞれのフレームに正確にマッチングさせて提供することで、使用者のサービス満足度を向上させることができる。
【０１４２】
また、本発明は、放送網を通じて提供される両方向データ放送サービスを移動通信網などの通信網を通じて効率よく具現するためのものであるので、市販または営業の可能性が十分であるだけでなく現実的に実施することができる程度であるので、産業上利用可能性がある発明である。
【０１４３】
また、本発明によれば、使用者端末機と付加情報提供のための付加情報サービス提供サーバー及びコンテンツサーバーの間の連動によって既存の放送システムの変更なしに、ＤＭＢ放送サービスとＰＰＬ情報サービスの融合による多様な情報を提供することができるという利点があり、これにより、新形態のＤＭＢ使用者グループに対するデータ市場の蚕食を防止するだけでなく、新規のデータ市場を新たに創出することができると期待される。
以上本発明の好適な実施例を例示のために開示したが、当業者であれば添付する特許請求の範囲に開示したような本発明の範囲及び精神から逸脱しない範囲内で多様な修正、付加及び代替が可能であろう。
【図１】
2010510710.tif 000003
【図２】
2010510710.tif 000004
【図３】
2010510710.tif 000005
【図４】
2010510710.tif 000006
【図５】
2010510710.tif 000007
【図６】
2010510710.tif 000008
【図７】
2010510710.tif 000009
【図８】
2010510710.tif 000010
【図９】
2010510710.tif 000011
【図１０】
2010510710.tif 000012
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
放送網を通じて使用者端末機に放送される放送コンテンツの開始時間情報を抽出する時間情報生成サーバー；及び
前記時間情報生成サーバーから前記放送コンテンツの開始時間情報を受け、前記放送コンテンツの開始時間から前記放送コンテンツの特定画面までの経過時間を計算し、前記特定画面に対応する付加情報を使用者端末に通信網を通じて提供する付加情報サービス提供サーバー；
を含むことを特徴とする、放送コンテンツに関連した付加情報サービス提供システム。
【請求項２】
前記付加情報サービス提供サーバーは、前記使用者端末機から前記特定画面に対する時間情報が含まれた付加情報要請を受信し、前記開始時間及び前記受信された特定画面に対する時間情報から前記経過時間を計算することを特徴とする、請求項１に記載の放送コンテンツに関連した付加情報サービス提供システム。
【請求項３】
前記開始時間情報は、前記放送コンテンツの開始時間に対応するＰＴＳ（Ｐｒｅｓｅｎｔａｔｉｏｎ Ｔｉｍｅ Ｓｔａｍｐ）情報を含むことを特徴とする、請求項２に記載の放送コンテンツに関連した付加情報サービス提供システム。
【請求項４】
前記特定画面の時間情報は前記特定画面のＰＴＳ情報を含み、
前記付加情報サービス提供サーバーは、前記開始時間に対応するＰＴＳ情報と前記特定画面のＰＴＳ情報から前記経過時間を計算し、前記特定画面に対応する付加情報を抽出することを特徴とする、請求項３に記載の放送コンテンツに関連した付加情報サービス提供システム。
【請求項５】
前記開始時間情報は絶対時間情報をさらに含み、前記経過時間及び前記絶対時間情報から前記特定画面に対応する付加情報を抽出することを特徴とする、請求項１に記載の放送コンテンツに関連した付加情報サービス提供システム。
【請求項６】
前記付加情報サービス提供サーバーは、前記使用者端末機から座標情報をさらに受信し、前記開始時間から前記特定画面までの経過時間及び前記座標情報に対応する付加情報を前記使用者端末機に提供することを特徴とする、請求項２〜５のいずれか１項に記載の放送コンテンツに関連した付加情報サービス提供システム。
【請求項７】
前記付加情報サービス提供サーバーは、前記使用者端末機の要請に応じて前記付加情報のＵＲＬを前記使用者端末機に提供して、前記使用者端末が前記付加情報を受けるようにすることを特徴とする、請求項２〜５のいずれか１項に記載の放送コンテンツに関連した付加情報サービス提供システム。
【請求項８】
前記放送コンテンツは前記特定画面のＰＴＳ情報を含み、
前記付加情報サービス提供サーバーは、前記特定画面のＰＴＳ情報に対応するＣＴＳ情報を生成し、前記付加情報に前記ＣＴＳ情報を含めて前記使用者端末機に提供することを特徴とする、請求項１に記載の放送コンテンツに関連した付加情報サービス提供システム。
【請求項９】
前記放送コンテンツは前記特定画面のＰＴＳ情報を含み、
前記時間情報生成サーバーは、前記特定画面のＰＴＳ情報に対応するＣＴＳ情報を生成して前記付加情報サービス提供サーバーに提供し、
前記付加情報サービス提供サーバーは、前記付加情報に前記ＣＴＳ情報を含めて前記使用者端末機に提供することを特徴とする、請求項１に記載の放送コンテンツに関連した付加情報サービス提供システム。
【請求項１０】
放送網を通じて使用者端末機に放送される放送コンテンツに関連した付加情報を提供する方法において、
放送網を通じて送出される放送コンテンツから開始時間情報を抽出する段階；
前記抽出された開始時間情報から特定画面までの経過時間を計算する段階；及び
前記経過時間に基づいて前記特定画面に対応する付加情報を使用者端末機に提供する段階；
を含むことを特徴とする、放送コンテンツに関連した付加情報を提供する方法。
【請求項１１】
使用者端末機から特定画面に対する時間情報及び付加情報の提供に対する要請を受ける段階をさらに含み、
前記経過時間を計算する段階は、前記開始時間情報及び前記受信された特定画面に対する時間情報から前記経過時間を計算することを特徴とする、請求項１０に記載の放送コンテンツに関連した付加情報を提供する方法。
【請求項１２】
前記開始時間情報及び前記特定画面に対する時間情報から計算される前記経過時間に対応し、前記使用者端末機に提供される付加情報を抽出する段階をさらに含み、
前記開始時間情報はＰＴＳ情報及び絶対時間情報を含み、
前記特定画面に対する時間情報は前記特定画面のＰＴＳ情報を含むことを特徴とする、請求項１１に記載の放送コンテンツに関連した付加情報を提供する方法。
【請求項１３】
前記付加情報の提供に対する要請を受ける段階は、使用者端末機から座標情報をさらに受け、
前記付加情報を抽出する段階は、前記特定画面に対する時間情報及び前記座標情報に対応する付加情報を抽出することを特徴とする、請求項１１または１２に記載の放送コンテンツに関連した付加情報を提供する方法。
【請求項１４】
前記付加情報を使用者端末機に提供する段階は、前記使用者端末機に前記付加情報をダウンロードするＵＲＬ情報を提供する段階を含むことを特徴とする、請求項１１または１２に記載の放送コンテンツに関連した付加情報を提供する方法。
【請求項１５】
前記付加情報を使用者端末機に提供する段階は、前記使用者端末機に前記放送コンテンツに含まれる前記特定画面に対するＰＴＳ情報を前記付加情報と同期化するのに使用されるＣＴＳ情報を提供する段階を含むことを特徴とする、請求項１０に記載の放送コンテンツに関連した付加情報を提供する方法。
【手続補正２】
【補正対象書類名】明細書
【補正対象項目名】００２４
【補正方法】変更
【補正の内容】
【００２４】
前記のような目的を達成するための本発明の放送コンテンツに関連した付加情報サービス提供システムの一実施例は、放送網を通じて使用者端末機に放送される放送コンテンツの開始時間情報を抽出する時間情報生成サーバー；及び前記時間情報生成サーバーから前記放送コンテンツの開始時間情報を受け、前記放送コンテンツの開始時間から前記放送コンテンツの特定画面までの経過時間を計算し、前記特定画面に対応する付加情報を使用者端末に通信網を通じて提供する付加情報サービス提供サーバー；を含む。
本発明において、前記前記付加情報サービス提供サーバーは、前記使用者端末機から前記特定画面に対する時間情報が含まれた付加情報要請を受信し、前記開始時間及び前記受信された特定画面に対する時間情報から前記経過時間を計算することが好ましい。
本発明において、前記開始時間情報は、前記放送コンテンツの開始時間に対応するＰＴＳ（Ｐｒｅｓｅｎｔａｔｉｏｎ Ｔｉｍｅ Ｓｔａｍｐ）情報を含むことが好ましい。
本発明において、前記特定画面の時間情報は前記特定画面のＰＴＳ情報を含み、前記付加情報サービス提供サーバーは、前記開始時間に対応するＰＴＳ情報と前記特定画面のＰＴＳ情報から前記経過時間を計算し、前記特定画面に対応する付加情報を抽出することが好ましい。
本発明において、前記開始時間情報は絶対時間情報をさらに含み、前記経過時間及び前記絶対時間情報から前記特定画面に対応する付加情報を抽出することが好ましい。
本発明において、前記付加情報サービス提供サーバーは、前記使用者端末機から座標情報をさらに受信し、前記開始時間から前記特定画面までの経過時間及び前記座標情報に対応する付加情報を前記使用者端末機に提供することが好ましい。
本発明において、前記付加情報サービス提供サーバーは、前記使用者端末機の要請に応じて前記付加情報のＵＲＬを前記使用者端末機に提供して、前記使用者端末が前記付加情報を受けるようにすることが好ましい。
本発明において、前記放送コンテンツは前記特定画面のＰＴＳ情報を含み、前記付加情報サービス提供サーバーは、前記特定画面のＰＴＳ情報に対応するＣＴＳ情報を生成し、前記付加情報に前記ＣＴＳ情報を含めて前記使用者端末機に提供することが好ましい。
本発明において、前記放送コンテンツは前記特定画面のＰＴＳ情報を含み、前記時間情報生成サーバーは、前記特定画面のＰＴＳ情報に対応するＣＴＳ情報を生成して前記付加情報サービス提供サーバーに提供し、前記付加情報サービス提供サーバーは、前記付加情報に前記ＣＴＳ情報を含めて前記使用者端末機に提供することが好ましい。
前記のような目的を達成するための本発明の放送網を通じて使用者端末機に放送される放送コンテンツに関連した付加情報を提供する方法は、放送網を通じて送出される放送コンテンツから開始時間情報を抽出する段階；前記抽出された開始時間情報から特定画面までの経過時間を計算する段階；及び前記経過時間に基づいて前記特定画面に対応する付加情報を使用者端末機に提供する段階；を含む。
本発明の方法は、使用者端末機から特定画面に対する時間情報及び付加情報の提供に対する要請を受ける段階をさらに含み、前記経過時間を計算する段階は、前記開始時間情報及び前記受信された特定画面に対する時間情報から前記経過時間を計算することが好ましい。
本発明の方法は、前記開始時間情報及び前記特定画面に対する時間情報から計算される前記経過時間に対応し、前記使用者端末機に提供される付加情報を抽出する段階をさらに含み、前記開始時間情報はＰＴＳ情報及び絶対時間情報を含み、前記特定画面に対する時間情報は前記特定画面のＰＴＳ情報を含むことが好ましい。
本発明において、前記付加情報の提供に対する要請を受ける段階は、使用者端末機から座標情報をさらに受け、前記付加情報を抽出する段階は、前記特定画面に対する時間情報及び前記座標情報に対応する付加情報を抽出することが好ましい。
本発明において、前記付加情報を使用者端末機に提供する段階は、前記使用者端末機に前記付加情報をダウンロードするＵＲＬ情報を提供する段階を含むことが好ましい。
本発明において、前記付加情報を使用者端末機に提供する段階は、前記使用者端末機に前記放送コンテンツに含まれる前記特定画面に対するＰＴＳ情報を前記付加情報と同期化するのに使用されるＣＴＳ情報を提供する段階を含むことが好ましい。
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】削除
【補正の内容】
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】削除
【補正の内容】
【手続補正２２】
【補正対象書類名】明細書
【補正対象項目名】００４３
【補正方法】削除
【補正の内容】
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】削除
【補正の内容】
【手続補正２８】
【補正対象書類名】明細書
【補正対象項目名】００４９
【補正方法】削除
【補正の内容】
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】削除
【補正の内容】
【手続補正３１】
【補正対象書類名】明細書
【補正対象項目名】００６６
【補正方法】変更
【補正の内容】
【００６６】
前記使用者端末機１０は放送コンテンツと通信付加情報を同時に受信することができる放送通信融合端末機に当たるもので、付加情報の要請の際、前述したように、自分が望む特定画面のイメージフレームに対するＰＴＳ情報及び座標情報を前記付加情報サービス提供サーバー２２０に伝送することにより、所望の付加情報を通信インフラを通じて受ける。ここで、通信インフラは、セルラー、ＰＣＳ、無線ＬＡＮ、Ｗ−ＣＤＭＡ、携帯インターネットなどに当たる。
【手続補正３２】
【補正対象書類名】明細書
【補正対象項目名】００７０
【補正方法】変更
【補正の内容】
【００７０】
そして、前記送出される放送コンテンツを受信する使用者端末機１０が特定画面のイメージフレームに対するＰＴＳ情報及び座標情報を伝送して付加情報を要請する（Ｓ２３０）。
【手続補正３３】
【補正対象書類名】明細書
【補正対象項目名】００７２
【補正方法】変更
【補正の内容】
【００７２】
この後、付加情報サービス提供サーバー２２０は前記経過時間及び座標情報をパラメーターとして前記特定画面に対応する付加情報を抽出して前記使用者端末機１０に提供する（Ｓ２４０）。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
放送網を通じて使用者端末機に放送される放送コンテンツの開始時間情報を抽出する時
間情報生成サーバー；及び
前記時間情報生成サーバーから前記放送コンテンツの開始時間情報を受け、前記放送コ
ンテンツの開始時間から前記放送コンテンツの特定画面までの経過時間を計算し、前記特
定画面に対応する付加情報を使用者端末に通信網を通じて提供する付加情報サービス提供
サーバー；
を含むことを特徴とする、放送コンテンツに関連した付加情報サービス提供システム。
【請求項２】
前記付加情報サービス提供サーバーは、前記使用者端末機から前記特定画面に対する時
間情報が含まれた付加情報要請を受信し、前記開始時間及び前記受信された特定画面に対
する時間情報から前記経過時間を計算することを特徴とする、請求項１に記載の放送コン
テンツに関連した付加情報サービス提供システム。
【請求項３】
前記開始時間情報は、前記放送コンテンツの開始時間に対応するＰＴＳ（Ｐｒｅｓｅｎ
ｔａｔｉｏｎ Ｔｉｍｅ Ｓｔａｍｐ）情報を含むことを特徴とする、請求項２に記載の放
送コンテンツに関連した付加情報サービス提供システム。
【請求項４】
前記特定画面の時間情報は前記特定画面のＰＴＳ情報を含み、
前記付加情報サービス提供サーバーは、前記開始時間に対応するＰＴＳ情報と前記特定
画面のＰＴＳ情報から前記経過時間を計算し、前記特定画面に対応する付加情報を抽出す
ることを特徴とする、請求項３に記載の放送コンテンツに関連した付加情報サービス提供
システム。
【請求項５】
前記開始時間情報は絶対時間情報をさらに含み、前記経過時間及び前記絶対時間情報か
ら前記特定画面に対応する付加情報を抽出することを特徴とする、請求項１に記載の放送
コンテンツに関連した付加情報サービス提供システム。
【請求項６】
前記付加情報サービス提供サーバーは、前記使用者端末機から座標情報をさらに受信し
、前記開始時間から前記特定画面までの経過時間及び前記座標情報に対応する付加情報を
前記使用者端末機に提供することを特徴とする、請求項２〜５のいずれか１項に記載の放
送コンテンツに関連した付加情報サービス提供システム。
【請求項７】
前記付加情報サービス提供サーバーは、前記使用者端末機の要請に応じて前記付加情報
のＵＲＬを前記使用者端末機に提供して、前記使用者端末が前記付加情報を受けるように
することを特徴とする、請求項２〜５のいずれか１項に記載の放送コンテンツに関連した
付加情報サービス提供システム。
【請求項８】
前記放送コンテンツは前記特定画面のＰＴＳ情報を含み、
前記付加情報サービス提供サーバーは、前記特定画面のＰＴＳ情報に対応するＣＴＳ情
報を生成し、前記付加情報に前記ＣＴＳ情報を含めて前記使用者端末機に提供することを
特徴とする、請求項１に記載の放送コンテンツに関連した付加情報サービス提供システム
。
【請求項９】
前記放送コンテンツは前記特定画面のＰＴＳ情報を含み、
前記時間情報生成サーバーは、前記特定画面のＰＴＳ情報に対応するＣＴＳ情報を生成
して前記付加情報サービス提供サーバーに提供し、
前記付加情報サービス提供サーバーは、前記付加情報に前記ＣＴＳ情報を含めて前記使
用者端末機に提供することを特徴とする、請求項１に記載の放送コンテンツに関連した付
加情報サービス提供システム。
【請求項１０】
放送網を通じて使用者端末機に放送される放送コンテンツに関連した付加情報を提供す
る方法において、
放送網を通じて送出される放送コンテンツから開始時間情報を抽出する段階；
前記抽出された開始時間情報から特定画面までの経過時間を計算する段階；及び
前記経過時間に基づいて前記特定画面に対応する付加情報を使用者端末機に提供する段
階；
を含むことを特徴とする、放送コンテンツに関連した付加情報を提供する方法。
【請求項１１】
使用者端末機から特定画面に対する時間情報及び付加情報の提供に対する要請を受ける
段階をさらに含み、
前記経過時間を計算する段階は、前記開始時間情報及び前記受信された特定画面に対す
る時間情報から前記経過時間を計算することを特徴とする、請求項１０に記載の放送コン
テンツに関連した付加情報を提供する方法。
【請求項１２】
前記開始時間情報及び前記特定画面に対する時間情報から計算される前記経過時間に対
応し、前記使用者端末機に提供される付加情報を抽出する段階をさらに含み、
前記開始時間情報はＰＴＳ情報及び絶対時間情報を含み、
前記特定画面に対する時間情報は前記特定画面のＰＴＳ情報を含むことを特徴とする、
請求項１１に記載の放送コンテンツに関連した付加情報を提供する方法。
【請求項１３】
前記付加情報の提供に対する要請を受ける段階は、使用者端末機から座標情報をさらに
受け、
前記付加情報を抽出する段階は、前記特定画面に対する時間情報及び前記座標情報に対
応する付加情報を抽出することを特徴とする、請求項１１または１２に記載の放送コンテ
ンツに関連した付加情報を提供する方法。
【請求項１４】
前記付加情報を使用者端末機に提供する段階は、前記使用者端末機に前記付加情報をダ
ウンロードするＵＲＬ情報を提供する段階を含むことを特徴とする、請求項１１または１
２に記載の放送コンテンツに関連した付加情報を提供する方法。
【請求項１５】
前記付加情報を使用者端末機に提供する段階は、前記使用者端末機に前記放送コンテン
ツに含まれる前記特定画面に対するＰＴＳ情報を前記付加情報と同期化するのに使用され
るＣＴＳ情報を提供する段階を含むことを特徴とする、請求項１０に記載の放送コンテン
ツに関連した付加情報を提供する方法。
【手続補正２】
【補正対象書類名】明細書
【補正対象項目名】００２４
【補正方法】変更
【補正の内容】
【００２４】
前記のような目的を達成するための本発明の放送コンテンツに関連した付加情報サービ
ス提供システムの一実施例は、放送網を通じて使用者端末機に放送される放送コンテンツ
の開始時間情報を抽出する時間情報生成サーバー；及び前記時間情報生成サーバーから前
記放送コンテンツの開始時間情報を受け、前記放送コンテンツの開始時間から前記放送コ
ンテンツの特定画面までの経過時間を計算し、前記特定画面に対応する付加情報を使用者
端末に通信網を通じて提供する付加情報サービス提供サーバー；を含む。
本発明において、前記前記付加情報サービス提供サーバーは、前記使用者端末機から前
記特定画面に対する時間情報が含まれた付加情報要請を受信し、前記開始時間及び前記受
信された特定画面に対する時間情報から前記経過時間を計算することが好ましい。
本発明において、前記開始時間情報は、前記放送コンテンツの開始時間に対応するＰＴ
Ｓ（Ｐｒｅｓｅｎｔａｔｉｏｎ Ｔｉｍｅ Ｓｔａｍｐ）情報を含むことが好ましい。
本発明において、前記特定画面の時間情報は前記特定画面のＰＴＳ情報を含み、前記付
加情報サービス提供サーバーは、前記開始時間に対応するＰＴＳ情報と前記特定画面のＰ
ＴＳ情報から前記経過時間を計算し、前記特定画面に対応する付加情報を抽出することが
好ましい。
本発明において、前記開始時間情報は絶対時間情報をさらに含み、前記経過時間及び前
記絶対時間情報から前記特定画面に対応する付加情報を抽出することが好ましい。
本発明において、前記付加情報サービス提供サーバーは、前記使用者端末機から座標情
報をさらに受信し、前記開始時間から前記特定画面までの経過時間及び前記座標情報に対
応する付加情報を前記使用者端末機に提供することが好ましい。
本発明において、前記付加情報サービス提供サーバーは、前記使用者端末機の要請に応
じて前記付加情報のＵＲＬを前記使用者端末機に提供して、前記使用者端末が前記付加情
報を受けるようにすることが好ましい。
本発明において、前記放送コンテンツは前記特定画面のＰＴＳ情報を含み、前記付加情
報サービス提供サーバーは、前記特定画面のＰＴＳ情報に対応するＣＴＳ情報を生成し、
前記付加情報に前記ＣＴＳ情報を含めて前記使用者端末機に提供することが好ましい。
本発明において、前記放送コンテンツは前記特定画面のＰＴＳ情報を含み、前記時間情
報生成サーバーは、前記特定画面のＰＴＳ情報に対応するＣＴＳ情報を生成して前記付加
情報サービス提供サーバーに提供し、前記付加情報サービス提供サーバーは、前記付加情
報に前記ＣＴＳ情報を含めて前記使用者端末機に提供することが好ましい。
前記のような目的を達成するための本発明の放送網を通じて使用者端末機に放送される
放送コンテンツに関連した付加情報を提供する方法は、放送網を通じて送出される放送コ
ンテンツから開始時間情報を抽出する段階；前記抽出された開始時間情報から特定画面ま
での経過時間を計算する段階；及び前記経過時間に基づいて前記特定画面に対応する付加
情報を使用者端末機に提供する段階；を含む。
本発明の方法は、使用者端末機から特定画面に対する時間情報及び付加情報の提供に対
する要請を受ける段階をさらに含み、前記経過時間を計算する段階は、前記開始時間情報
及び前記受信された特定画面に対する時間情報から前記経過時間を計算することが好まし
い。
本発明の方法は、前記開始時間情報及び前記特定画面に対する時間情報から計算される
前記経過時間に対応し、前記使用者端末機に提供される付加情報を抽出する段階をさらに
含み、前記開始時間情報はＰＴＳ情報及び絶対時間情報を含み、前記特定画面に対する時
間情報は前記特定画面のＰＴＳ情報を含むことが好ましい。
本発明において、前記付加情報の提供に対する要請を受ける段階は、使用者端末機から
座標情報をさらに受け、前記付加情報を抽出する段階は、前記特定画面に対する時間情報
及び前記座標情報に対応する付加情報を抽出することが好ましい。
本発明において、前記付加情報を使用者端末機に提供する段階は、前記使用者端末機に
前記付加情報をダウンロードするＵＲＬ情報を提供する段階を含むことが好ましい。
本発明において、前記付加情報を使用者端末機に提供する段階は、前記使用者端末機に
前記放送コンテンツに含まれる前記特定画面に対するＰＴＳ情報を前記付加情報と同期化
するのに使用されるＣＴＳ情報を提供する段階を含むことが好ましい。
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】削除
【補正の内容】
【手続補正２５】
【補正対象書類名】明細書
【補正対象項目名】００４７
【補正方法】削除
【補正の内容】
【手続補正２６】
【補正対象書類名】明細書
【補正対象項目名】００４８
【補正方法】削除
【補正の内容】
【手続補正２７】
【補正対象書類名】明細書
【補正対象項目名】００４９
【補正方法】削除
【補正の内容】
【手続補正２８】
【補正対象書類名】明細書
【補正対象項目名】００５０
【補正方法】削除
【補正の内容】
【手続補正２９】
【補正対象書類名】明細書
【補正対象項目名】００５１
【補正方法】削除
【補正の内容】
【手続補正３０】
【補正対象書類名】明細書
【補正対象項目名】００６６
【補正方法】変更
【補正の内容】
【００６６】
前記使用者端末機１０は放送コンテンツと通信付加情報を同時に受信することができる
放送通信融合端末機に当たるもので、付加情報の要請の際、前述したように、自分が望む
特定画面のイメージフレームに対するＰＴＳ情報及び座標情報を前記付加情報サービス提
供サーバー２２０に伝送することにより、所望の付加情報を通信インフラを通じて受ける
。ここで、通信インフラは、セルラー、ＰＣＳ、無線ＬＡＮ、Ｗ−ＣＤＭＡ、携帯インタ
ーネットなどに当たる。
【手続補正３１】
【補正対象書類名】明細書
【補正対象項目名】００７０
【補正方法】変更
【補正の内容】
【００７０】
そして、前記送出される放送コンテンツを受信する使用者端末機１０が特定画面のイメ
ージフレームに対するＰＴＳ情報及び座標情報を伝送して付加情報を要請する（Ｓ２３０
）。
【手続補正３２】
【補正対象書類名】明細書
【補正対象項目名】００７２
【補正方法】変更
【補正の内容】
【００７２】
この後、付加情報サービス提供サーバー２２０は前記経過時間及び座標情報をパラメー
ターとして前記特定画面に対応する付加情報を抽出して前記使用者端末機１０に提供する
（Ｓ２４０）。
【国際調査報告】
2010510710.tif 000013
2010510710.tif 000014
2010510710.tif 000015
2010510710.tif 000016